(57)【要約】【課題】表示部の能力を超えた広い輝度範囲を有する映像が受信されるとき、映像の輝度を番組に応じて適切に調整することができる受信装置及び放送システムを提供する。【解決手段】サービス情報処理部はコンテンツのサービス情報に基づいて前記コンテンツの映像の輝度範囲である第１輝度範囲に関する輝度情報を取得し、輝度調整部は、表示部が映像を表示可能な輝度範囲である第２輝度範囲と前記第１輝度範囲との比較結果に基づいて前記映像の輝度を前記第２輝度範囲内に調整する。【選択図】図３
2017163536.tif 000002
【特許請求の範囲】
【請求項１】
コンテンツのサービス情報に基づいて前記コンテンツの映像の輝度範囲である第１輝度範囲に関する輝度情報を取得するサービス情報処理部と、
表示部が映像を表示可能な輝度範囲である第２輝度範囲と前記第１輝度範囲との比較結果に基づいて前記映像の輝度を前記第２輝度範囲内に調整する輝度調整部と、
を備える受信装置。
【請求項２】
前記輝度調整部は、前記第２輝度範囲の最大値と前記第１輝度範囲の最大値との比較結果に基づいて前記映像の輝度の調整方法を定める
請求項１に記載の受信装置。
【請求項３】
前記輝度調整部は、前記比較結果が所定の閾値を超えるとき前記調整方法として圧縮処理を選択し、前記比較結果が所定の閾値を超えないとき前記調整方法としてクリッピング処理を選択する
請求項２に記載の受信装置。
【請求項４】
前記輝度調整部は、前記輝度情報に前記コンテンツの映像の輝度範囲がより狭い所定の輝度範囲から拡大したことを示す変換情報が含まれるとき、前記映像の輝度範囲を伸長する
請求項１から請求項３のいずれか一項に記載の受信装置。
【請求項５】
前記輝度調整部は、前記映像の輝度が低い部分ほど輝度を低下させる
請求項４に記載の受信装置。
【請求項６】
前記サービス情報は、前記映像の制作に用いられた表示部である制作表示装置の映像の表示能力の情報を含み、
前記輝度調整部は、前記表示部の映像の表示能力よりも前記制作表示装置の映像の表示能力の方が高いとき、前記映像の輝度をさらに高くする
請求項１から請求項５のいずれか一項に記載の受信装置。
【請求項７】
前記輝度調整部は、前記表示部の映像の表示能力と前記制作表示装置の映像の表示能力の差が大きいほど、前記映像の輝度の増加量を大きくする
請求項６に記載の受信装置。
【請求項８】
前記サービス情報はアプリケーション制御情報を含み、
前記サービス情報処理部は、前記アプリケーション制御情報に基づいて所定のアプリケーションプログラムが指示する処理の実行を制御するアプリケーション制御部を備え、
前記アプリケーションプログラムは、前記受信装置または前記受信装置に接続された他の機器のコンピュータに
前記輝度情報を通信で取得し、
前記輝度情報を前記輝度調整部に出力させる
請求項１から請求項７のいずれか一項に記載の受信装置。
【請求項９】
前記アプリケーションプログラムは、前記受信装置または前記受信装置と接続する他の機器のコンピュータにさらに、
前記第１輝度範囲の情報と前記第２輝度範囲の情報を表示させ、
ユーザの操作に応じて指示された前記第２輝度範囲の情報を前記輝度調整部に出力させる
請求項８に記載の受信装置。
【請求項１０】
送信装置と受信装置を備える放送システムであって、
前記送信装置は、映像を含むコンテンツと前記コンテンツのサービス情報を送信し、
前記受信装置は、
前記サービス情報に基づいて前記コンテンツの映像の輝度範囲である第１輝度範囲に関する輝度情報を取得するサービス情報処理部と、
表示部が映像を表示可能な輝度範囲である第２輝度範囲と前記第１輝度範囲との比較結果に基づいて前記映像の輝度を前記第２輝度範囲内に調整する輝度調整部と、
を備える放送システム。
【請求項１１】
前記輝度情報を通信で送信する第２の送信装置を備え、
前記サービス情報はアプリケーション制御情報を含み、
前記サービス情報処理部は、前記アプリケーション制御情報に基づいて所定のアプリケーションプログラムが指示する処理の実行を制御するアプリケーション制御部を備え、
前記アプリケーションプログラムは、前記受信装置または前記受信装置に接続された他の機器のコンピュータに
前記輝度情報を通信で取得し、
前記輝度情報を前記輝度調整部に出力させる
請求項１０に記載の放送システム。
【発明の詳細な説明】
【技術分野】
【０００１】
本発明は、受信装置および放送システムに関する。
【背景技術】
【０００２】
放送の高度化の一環として、従来よりも広い範囲の輝度を再現することができる映像データの導入が提案されている。かかる映像データは、具体的にはＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）映像信号である。ＨＤＲ映像データは、従来から採用されているＳＤＲ（Ｓｔａｎｄａｒｄ  Ｄｙｎａｍｉｃ  Ｒａｎｇｅ；通常ダイナミックレンジ）映像信号よりも大幅に広い範囲の輝度を表現することができる。ＨＤＲ映像データは、いわゆる４Ｋ／８Ｋ放送において採用される見込みである。４Ｋ／８Ｋ放送とは、画素数が３８４０×２１６０個または７６８０×４３２０個の映像を放送する超高精細テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）の通称である。
【０００３】
ディスプレイの性能によっては、広い範囲の輝度を表すＨＤＲ映像データに基づいて制作者が意図した映像を再現できないことがある。そこで、映像の輝度が、ディスプレイが表現可能な範囲内に収まるように、受信したＨＤＲ映像データを変換する処理を行うことが期待される。この処理には大きく分けて次の２通りの方法がある。１つは、ディスプレイが表現可能な範囲内にＨＤＲ映像データにより表現される輝度の全範囲が圧縮されるように、信号値を変換する方法である。この方法は、一般に圧縮もしくはコンプレッションと呼ばれる。この方法では、信号値に基づく輝度の階調を保った映像が再現されるが、圧縮前の元の映像よりも全体として暗く表示される。例えば、特許文献１には、受信したデータが表す画素の色成分がデバイス色空間にない場合にデバイス色空間内の値に変換する段階を含む画像信号変換について記載されている。もう１つは、ディスプレイが表現可能な範囲外の輝度を示す信号値を、表現可能な範囲内の所定の輝度を示す信号値に置き換える方法である。この方法は、一般にクリッピングと呼ばれる。この方法では、ディスプレイが表現可能な範囲内の輝度を正確に表現することができるが、表現可能な範囲外の輝度、主に高輝度の階調が失われてしまう。例えば、特許文献２には、所定の制限値で制限したゲイン信号に基づいて画像信号を補正する視覚処理装置について記載されている。
【先行技術文献】
【特許文献】
【０００４】
【特許文献１】特表２０１２−５２００５０号公報
【特許文献２】特開２００７−３１２３４９号公報
【発明の概要】
【発明が解決しようとする課題】
【０００５】
受信したＨＤＲ映像データが表す輝度の範囲に応じて、変換処理の方法、例えば、圧縮とクリッピングとを切り替えることが考えられる。他方、放送される映像の輝度の範囲は時々刻々と変化する。そのため、同じ被写体の輝度が番組の進行に従って変化するおそれがある。
そのため、表示部の能力を超えた広い輝度範囲を有する映像が受信されるとき、映像の輝度を適切に調整することができないという課題が生じていた。
【課題を解決するための手段】
【０００６】
本発明は上記の課題を解決するためになされたものであり、本発明の一態様はコンテンツのサービス情報に基づいて前記コンテンツの映像の輝度範囲である第１輝度範囲に関する輝度情報を取得するサービス情報処理部と、表示部が映像を表示可能な輝度範囲である第２輝度範囲と前記第１輝度範囲との比較結果に基づいて前記映像の輝度を前記第２輝度範囲内に調整する輝度調整部と、を備える受信装置である。
【発明の効果】
【０００７】
本発明の実施形態によれば、表示部の能力を超えた広い輝度範囲を有する映像が受信されるとき、映像の輝度を番組に応じて適切に調整することができる。
【図面の簡単な説明】
【０００８】
【図１】第１の実施形態に係る放送システムの構成を示す概略ブロック図である。
【図２】第１の実施形態に係る送信装置の構成を示す概略ブロック図である。
【図３】第１の実施形態に係る受信装置の構成を示す概略ブロック図である。
【図４】第１の実施形態に係るＭＨ−ＥＩＴのデータ構造の一例を示す図である。
【図５】第１の実施形態に係る輝度記述子のデータ構造の一例を示す図である。
【図６】第１の実施形態に係るＥＰＧの一例を示す図である。
【図７】輝度値と輝度の対応関係の一例を示す図である。
【図８】第１の実施形態に係る輝度情報取得処理を示すフローチャートである。
【図９】第１の実施形態に係る輝度変換処理の一例を示すフローチャートである。
【図１０】第１の実施形態の一変形例に係るＭＰＴのデータ構造の一例を示す図である。
【図１１】第１の実施形態の一変形例に係る輝度情報取得処理を示すフローチャートである。
【図１２】第２の実施形態に係る放送システムの構成を示す概略ブロック図である。
【図１３】第２の実施形態に係る受信装置の構成を示す概略ブロック図である。
【図１４】第２の実施形態に係るアプリケーション制御の一例を示す図である。
【図１５】第２の実施形態に係るアプリケーション制御の他の例を示す図である。
【図１６】第２の実施形態に係る輝度情報と適用例を示す図である。
【図１７】第２の実施形態に係るアプリケーション制御の一例を示すフローチャートである。
【図１８】第２の実施形態に係るアプリケーション制御の他の例を示すフローチャートである。
【図１９】第２の実施形態に係るアプリケーションの一実行例を示す図である。
【図２０】第２の実施形態の一変形例に係るアプリケーションの一実行例を示す図である。
【図２１】第３の実施形態に係るマスターモニター情報を示す説明図である。
【発明を実施するための形態】
【０００９】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置１０と受信装置２０とを含んで構成される。
送信装置１０は、放送番組のコンテンツを表す番組データを、放送伝送路ＢＴを介して受信装置に送信する。コンテンツとして、映像と音声が含まれる。放送伝送路ＢＴは、番組データを不特定多数の受信装置２０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置２０は、放送伝送路ＢＴを介して伝送された番組データを受信する。受信装置２０は、受信した番組データに基づく映像を表示する。受信装置２０は、例えば、テレビジョン受信装置、セットトップボックスなど、番組データを受信し、受信した番組データに係る映像を表示部に表示することができる電子機器である。図１に示す送信装置１０、受信装置２０の数は、それぞれ１個であるが、一般には複数である。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１０】
放送システム１は、輝度のダイナミックレンジが、互いに異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１１】
（映像の輝度）
映像の輝度には、光学輝度と画像輝度との２種類がある。光学輝度とは、光源の明るさを表す物理量の１つである。光学輝度は、例えば、ディスプレイから発光される映像の明るさを表すときに用いられる。本実施形態では、一例として、０〜１００００ｃｄ／ｍ２の輝度範囲をＨＤＲと称し、０〜１００ｃｄ／ｍ２の輝度範囲をＳＤＲと称する。つまり、ＨＤＲは、ＳＤＲによりも広い光学輝度のダイナミックレンジを有する。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベルまたはその相対値を意味する。以下の説明では、光学輝度、画像輝度を、それぞれ輝度、輝度値と呼ぶことがある。
【００１２】
放送システム１は、ＨＤＲ映像データまたはＳＤＲ映像データを含む放送番組データを伝送する。ＨＤＲ映像データは、例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ、米国映画テレビ技術者協会）ＳＴ．２０８４−２０１４により規定される映像フォーマットで構成される。以下の説明では、この映像フォーマットをＨＤＲ形式と呼ぶ。ＨＤＲ映像データでは、ＨＤＲの輝度範囲内の輝度が輝度値と対応付けられる。図７に示す例では、画素毎の輝度値が１０ビットで表されるとき、０〜１０２３の輝度値が０〜１００００ｃｄ／ｍ２の輝度に対応する。ＳＤＲ映像データは、例えば、Ｒｅｃ．ＩＴＵ−Ｒ  ＢＴ．７０９により規定される映像フォーマットで構成される。以下の説明では、この映像フォーマットをＳＤＲ形式と呼ぶ。ＳＤＲ映像データでは、ＳＤＲの輝度範囲内の輝度が輝度値と対応付けられる。ＳＤＲ映像データでは、画素毎の輝度値を表すためのビット数はＨＤＲ映像データよりも少ない。例えば、画素毎の輝度値が８ビットで表されるとき、０〜２５５の輝度値が０〜１００ｃｄ／ｍ２の輝度に対応する。
【００１３】
（送信装置の構成）
次に、本実施形態に係る送信装置１０の構成について説明する。
図２は、本実施形態に係る送信装置１０の構成を示す概略ブロック図である。
送信装置１０は、番組データとサービス情報とを多重化し、多重化した多重化データを放送伝送路ＢＴに送信する。番組データには、映像データと音声データが含まれる。送信装置１０は、符号化制御部１１０、映像符号化部１２０、音声符号化部１３０、サービス情報取得部１４０、多重化部１５０、暗号化部１６０および送信部１７０を含んで構成される。
【００１４】
符号化制御部１１０は、映像符号化部１２０に入力される映像データの符号化処理、音声符号化部１３０に入力される音声データの符号化処理を制御する。符号化制御部１１０は、映像データで表される輝度値、当該輝度値が示す番組毎の輝度範囲を検出する。符号化制御部１１０は、例えば、検出した輝度範囲が所定のＳＤＲの輝度範囲を超えるときＨＤＲ形式を選択し、検出した輝度範囲が所定のＳＤＲの輝度範囲を超えないときＳＤＲ形式を選択する。符号化制御部１１０は、映像符号化部１２０に選択した形式を指示する。なお、符号化制御部１１０は、音声符号化部１３０には所定の形式（例えば、ＩＳＯ／ＩＥＣ  １４４９６−３  ＭＰＥＧ−４  ＡＵＤＩＯで規定されたデータ形式）を指示する。
符号化制御部１１０は、選択した映像データならびに音声データのデータ形式の情報と検出した輝度範囲の情報をサービス情報取得部１４０に出力する。
【００１５】
映像符号化部１２０は、入力される映像データを所定の符号化方式（例えば、ＩＳＯ／ＩＥＣ  ２３００８−２  ＨＥＶＣ：Ｈｉｇｈ  Ｅｆｆｉｃｉｅｎｃｙ  Ｖｉｄｅｏ  Ｃｏｄｉｎｇ）を用いて符号化する。映像符号化部１２０は、符号化によって得られた映像符号化データを含み符号化制御部１１０が指示する形式を有する映像データを生成する。映像符号化部１２０は、生成した映像データを多重化部１５０に出力する。
【００１６】
音声符号化部１３０は、入力される音声データを所定の符号化方式（例えば、ＩＳＯ／ＩＥＣ  １４４９６−３  ＭＰＥＧ−４  ＡＵＤＩＯ）を用いて符号化する。音声符号化部１３０は、符号化によって得られた音声符号化データを含み符号化制御部１１０が指示する形式を有する音声データを多重化部１５０に出力する。
【００１７】
サービス情報取得部１４０は、符号化制御部１１０から入力されたデータ形式の情報と輝度範囲の情報に基づいてサービス情報を生成する。サービス情報とは、番組の提供形態、構成など放送サービスの提供に関する情報である。サービス情報は、例えば、ＭＭＴ（ＭＰＥＧ  Ｍｅｄｉａ  Ｔｒａｎｓｐｏｒｔ）方式におけるＭＭＴ−ＳＩ（Ｓｅｒｖｉｃｅ  Ｉｎｆｏｒｍａｔｉｏｎ）に含まれる。ＭＭＴ−ＳＩには、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−Ｅｖｅｎｔ  Ｉｎｆｏｒｍａｔｉｏｎ  Ｔａｂｌｅ、ＭＨ−イベント情報テーブル）が含まれる。ＭＰＴは、番組の構成要素であるアセット、つまり映像、音声のリストや、それらの提供条件を示す情報を含むデータテーブルである。
【００１８】
ＭＨ−ＥＩＴは、番組毎にその番組に関する情報、例えば、番組の名称、放送日時、放送内容の説明などを示す情報を含むデータテーブルである。サービス情報取得部１４０は、番組を構成する映像の輝度範囲に関する情報である輝度情報をＭＨ−ＥＩＴに含める。サービス情報の例については、後述する。サービス情報取得部１４０は、取得したサービス情報を所定時間（例えば、０．１〜０．５ｍｓ）毎に多重化部１５０に出力する。サービス情報は、番組の進行に応じて更新される。更新されない場合には、同一のサービス情報が複数回繰り返される。これにより、受信装置２０は、任意の時点で受信した放送信号に基づいて番組を提示することができる。
なお、サービス情報取得部１４０には、他の機器から予め生成されたサービス情報が入力されてもよい。
【００１９】
多重化部１５０には、映像符号化部１２０から入力される映像データ、音声符号化部１３０から入力される音声データおよびサービス情報取得部１４０から入力されるサービス情報を多重化して所定の形式（例えば、ＭＭＴ形式）を有する多重化データを生成する。多重化部１５０は、生成した多重化データを暗号化部１６０に出力する。なお、多重化部１５０には、他の機器から映像データと音声データのいずれかまたは両方が入力されてもよい。他の機器からの映像データの形式が映像符号化部１２０からの映像データの形式と同様であれば、映像符号化部１２０は省略されてもよい。他の機器からの音声データの形式が音声符号化部１３０からの音声データの形式と同様であれば、音声符号化部１３０は省略されてもよい。
【００２０】
暗号化部１６０は、多重化部１５０から入力された多重化データを所定の暗号化方式（例えば、ＡＥＳ：Ａｄｖａｎｃｅｄ  Ｅｎｃｒｙｐｔｉｏｎ  Ｓｔａｎｄａｒｄ）を用いて暗号化する。暗号化部１６０は、暗号化により得られた暗号化データを送信部１７０に出力する。
送信部１７０は、暗号化部１６０から入力された暗号化データを変調して所定の周波数帯域を有する放送信号を生成する。送信部１７０は、生成した放送信号を放送伝送路ＢＴに送信する。放送信号は、放送波として伝送される。よって、番組データとサービス情報を多重化した多重化データを搬送する放送信号が放送伝送路ＢＴを介して伝送される。送信部１７０は、例えば、送信器を含んで構成される。なお、番組データとその番組に係るサービス情報とが整合していれば、送信される番組データは必ずしもその時点において送信装置１０に入力された番組データでなくてもよい。番組データが送信される時点は、予め送信装置１０が備える記憶部に記憶され、送信装置１０に入力されるスケジュールデータが示す番組毎の放送時間に基づいて指示されてもよい。
【００２１】
（送信装置の構成）
次に、本実施形態に係る受信装置２０の構成について説明する。
図３は、本実施形態に係る受信装置２０の構成を示す概略ブロック図である。
受信装置２０は、放送受信部２１０、復号部２１１、分離部２１２、入力部２１５、映像復号部２２１、輝度調整部２２２、表示処理部２２３、音声復号部２３１、制御部２４０、記憶部２５０、表示部２２および拡声部２３を含んで構成される。表示部２２および拡声部２３の一方または両方は、受信装置２０の本体と着脱可能であってもよい。
【００２２】
放送受信部２１０には、制御部２４０の選局部２４１からの選局信号が入力される。放送受信部２１０は、選局信号で指示されるチャンネルで伝送される放送信号を受信する。放送受信部２１０は、例えば、放送波を受信するチューナーを含んで構成される。チューナーは、選局信号で指定されたチャンネルに対応した周波数帯域の放送波を受信する。放送受信部２１０は、受信した放送信号を復調し、復調により得られた暗号化データを復号部２１１に出力する。
【００２３】
復号部２１１は、放送受信部２１０から入力される暗号化データを所定の復号方式を用いて復号する。所定の復号方式は、暗号化部１６０が用いた暗号化方式に対応する復号方式である。復号部２１１は、復号により得られた多重化データを分離部２１２に出力する。
【００２４】
分離部２１２は、復号部２１１から入力される多重化データから番組データとサービス情報とを分離する。また、分離部２１２は、番組データから映像データと音声データとを分離する。分離部２１２は、分離した映像データを映像復号部２２１に出力し、分離した音声データを音声復号部２３１に出力する。分離部２１２は、分離したサービス情報をサービス情報処理部２４２に出力する。
【００２５】
入力部２１５には、ユーザの操作によって生成された操作信号が入力される。入力部２１５は、例えば、リモートコントローラ（制御装置）ＲＣからの操作信号を赤外線で受信する赤外線インタフェースを含んで構成される。操作信号は、例えば、電源のオン／オフ、放送波を受信するチャンネル、輝度や輝度範囲などの情報を指定する。入力部２１５は、操作信号を制御部２４０に出力する。なお、入力部２１５は、ユーザの操作を受け付けるための物理的な部材、例えば、各種のボタン、つまみなどを含んで構成され、操作に応じた操作信号を生成してもよい。入力部２１５は、入力された操作信号を制御部２４０に出力する。
【００２６】
映像復号部２２１には、サービス情報処理部２４２から指示される形式の映像データが分離部２１２から入力される。映像復号部２２１は、入力された映像データについて所定の映像復号方式を用いて復号する。所定の映像復号方式は、映像符号化部１２０が用いた符号化方式に対応する復号方式である。映像復号部２２１は、復号後の映像データを輝度調整部２２２に出力する。
【００２７】
輝度調整部２２２は、映像復号部２２１から入力された映像データが示す映像の輝度を、サービス情報処理部２４２から入力される輝度情報に基づいて所定の表示可能輝度範囲内に調整する。輝度情報には、番組の映像の輝度に関する情報として映像の輝度範囲の情報が含まれる。表示可能輝度範囲は、表示部２２が表示可能な輝度範囲である。輝度調整部２２２は、映像の輝度範囲の表示可能輝度範囲の超過量に基づいて、映像データが示す映像の輝度の調整方法を定める。輝度調整部２２２は、輝度を調整した映像を示す映像データを表示処理部２２３に出力する。輝度の調整方法については、後述する。
【００２８】
表示処理部２２３は、輝度調整部２２２から入力された映像に表示情報取得部２４３から入力された表示情報を重畳して表示映像を生成する。表示情報には、各種のダイアログ画面、設定画面などがある。表示処理部２２３は、生成した表示映像を示す映像データを表示部２２に出力する。
【００２９】
表示部２２は、表示処理部２２３から入力される映像データに基づく映像を表示する。表示部２２は、例えば、液晶ディスプレイ（ＬＣＤ：Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等である。有機ＥＬディスプレイは、有機発光ダイオード（ＯＬＥＤ：Ｏｒｇａｎｉｃ  Ｌｉｇｈｔ  Ｅｍｉｔｔｉｎｇ  Ｄｉｏｄｅ）を発光素子として有するディスプレイである。表示部２２として、表示可能な輝度範囲が様々なディスプレイが用いられることがある。
ＨＤＲ映像の全輝度範囲の輝度が表示可能なディスプレイが用いられることもあるし、ＳＤＲ映像の輝度範囲内の輝度が表示可能であるが、その輝度範囲を超える輝度が表示できないディスプレイが用いられることもある。輝度調整部２２２は、表示処理部２２３に接続された表示部２２を検出し、検出した表示部から機種情報を検出し、予め設定された輝度設定テーブルに基づいて機種情報に対応する輝度範囲を特定してもよい。輝度設定テーブルは、機種情報と輝度範囲の情報とが対応付けて形成されるデータである。
【００３０】
音声復号部２３１には、サービス情報処理部２４２から指示される形式の音声データが分離部２１２から入力される。音声復号部２３１は、入力された音声データについて所定の音声復号方式を用いて復号する。所定の音声復号方式は、音声符号化部１３０が用いた符号化方式に対応する復号方式である。音声復号部２３１は、復号後の音声データを拡声部２３に出力する。
【００３１】
拡声部２３は、音声復号部２３１から入力される音声データに基づく音声を再生する。拡声部２３は、例えば、スピーカを含んで構成される。
【００３２】
制御部２４０は、受信装置２０の動作に係る各種の制御を行う。制御部２４０は、選局部２４１、サービス情報処理部２４２および表示情報取得部２４３を含んで構成される。
選局部２４１は、入力部２１５から入力された操作信号から放送信号を受信するチャンネルを識別する。選局部２４１は、識別したチャンネルを指示する選局信号を生成し、生成した選局信号を放送受信部２１０に出力する。
【００３３】
サービス情報処理部２４２は、分離部２１２から入力されるサービス情報に基づいて番組の提示に係る種々の制御を行う。サービス情報処理部２４２は、サービス情報からＭＨ−ＥＩＴを抽出する。サービス情報処理部２４２は、ＭＨ−ＥＩＴから輝度情報が検出されるとき、検出される輝度情報を輝度調整部２２２に出力する。サービス情報処理部２４２は、抽出したＭＨ−ＥＩＴを表示情報取得部２４３に出力する。また、サービス情報処理部２４２は、サービス情報に含まれるＭＰＴに基づいて番組データの構成要素として映像データの形式と音声データの形式を特定する。サービス情報処理部２４２は、特定した映像データの形式を映像復号部２２１に通知し、特定した音声データの形式を音声復号部２３１に通知する。
【００３４】
表示情報取得部２４３は、入力部２１５から入力される操作信号、サービス情報処理部２４２から入力される各種の情報のいずれかまたは両方を用いて表示部２２に表示させる表示情報を取得する。表示情報取得部２４３は、例えば、サービス情報処理部２４２から入力されるＭＨ−ＥＩＴから、チャンネル別に放送時間帯の順に番組毎の番組情報を配列して電子番組表（ＥＰＧ：Ｅｌｅｃｔｒｏｎｉｃ  Ｐｒｏｇｒａｍ  Ｇｕｉｄｅ）を生成する。表示情報取得部２４３は、生成した電子番組表を示す表示情報を表示処理部２２３に出力する。電子番組表を構成する番組情報には、当該番組の輝度情報が含まれてもよい。その他、表示情報取得部２４３は、入力部２１５から設定を指示する操作信号が入力されるとき、記憶部２５０に予め記憶された設定画面情報を読み取り、読み取った設定画面情報を表示情報として表示処理部２２３に出力してもよい。その他、他の構成部からの要求に応じて各種の警告（コーション）画面情報を読み取り、読み取った警告画面情報を表示情報として表示処理部２２３に出力してもよい。
【００３５】
記憶部２５０は、制御部２４０で用いられる設定データ、制御部２４０において取得されたデータなど各種のデータを記憶する。記憶部２５０は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。また、記憶部２５０は、受信した放送番組の映像データや、予め制作された映画などのコンテンツの映像データを記憶する記憶媒体（例えば、ＢＤ（Ｂｌｕ−ｒａｙ（登録商標）Ｄｉｓｃ））を含んで構成されてもよい。記憶部２５０には、放送番組データと、当該放送番組データに多重化されたサービス情報とが対応付けて記憶されてもよい。
【００３６】
（ＭＨ−ＥＩＴ）
次に、サービス情報に含まれるＭＨ−ＥＩＴのデータ構造について説明する。図４は、本実施形態に係るＭＨ−ＥＩＴのデータ構造の一例を示す図である。
図４に示す例では、ＭＨ−ＥＩＴ（ＭＨ−Ｅｖｅｎｔ＿Ｉｎｆｏｒｍａｔｉｏｎ＿Ｔａｂｌｅ（））は、イベント毎にイベント識別（ｅｖｅｎｔ＿ＩＤ）、開始時刻（ｓｔａｒｔ＿ｔｉｍｅ）、継続時間（ｄｕｒａｔｉｏｎ）および記述子領域（ｄｅｓｃｒｉｐｔｏｒ（））を含む。イベント識別とは、イベントの識別番号、つまり番組の識別情報を示す。開始時刻は、番組の開始時刻を示す。開始時刻には日時の情報も含まれる。継続時間は、番組の放送時間長を示す。
【００３７】
また、ＭＨ−ＥＩＴは、イベント識別毎に記述子領域（ｄｅｓｃｒｉｐｔｏｒ（））を含む。記述子領域は、番組に関する各種の情報を表す記述子を格納する領域である。記述子領域には、例えば、輝度記述子が記述される。従って、送信装置１０のサービス情報取得部１４０は、放送される番組の映像の輝度に関する輝度情報を記述した輝度記述子を含めたＭＨ−ＥＩＴを生成する。受信装置２０のサービス情報処理部２４２は、サービス情報に含まれるＭＨ−ＥＩＴから輝度記述子を検出し、検出した輝度記述子に記述された輝度情報を読み取る。
なお、記述子領域には、ＭＨ−拡張形式イベント記述子（ＭＨ−Ｅｘｔｅｎｄｅｄ＿Ｅｖｅｎｔ＿Ｄｅｓｃｒｉｐｔｏｒ（））が含まれてもよい。ＭＨ−拡張形式イベント記述子には、各番組に関する詳細情報が記述される。詳細情報には、番組の表題、出演者、制作者、などの情報を含むことができる。
【００３８】
（輝度記述子）
次に、輝度記述子のデータ構造について説明する。図５は、本実施形態に係る輝度記述子のデータ構造の一例を示す図である。
図５に示す例では、輝度記述子（Ｌｕｍｉｎａｎｃｅ＿Ｄｅｓｃｒｉｐｔｏｒ（））は、記述子タグ（ｄｅｓｃｒｉｐｔｏｒ＿ｔａｇ）、記述子長（ｄｅｓｃｒｉｐｔｏｒ＿ｌｅｎｇｔｈ）、記述子番号（ｄｅｓｃｒｉｐｔｏｒ＿ｎｕｍｂｅｒ）、最終記述子番号（ｌａｓｔ＿ｄｅｓｃｒｉｐｔｏｒ＿ｎｕｍｂｅｒ）、輝度記述長（ｔｅｘｔ＿ｌｅｎｇｔｈ）および輝度記述（ｔｅｘｔ＿ｃｈａｒ）を含んで構成される。記述子タグには、当該記述子が輝度記述子であることを示すタグ（識別子）として、例えば、「０ｘ８０３Ａ」が記述される。記述子長は、当該記述子のバイト長を示す。記述子番号は、輝度情報を表すために複数の輝度記述子が用いられるとき個々の輝度記述子を区別するための番号である。個々の記述子の記述子番号は、０から順に１番ずつ昇順に採番される。最終記述子番号は、複数の輝度記述子が用いられる場合における、当該輝度記述子の直前の輝度記述子の記述子番号である。輝度記述長は、直後の輝度記述のバイト長を示す。輝度記述は、一連の輝度情報が記述される１バイト単位のフィールドである。
【００３９】
上述したようにサービス情報を構成するＭＨ−ＥＩＴに輝度情報を含めることは、送信装置１０、その他、送信設備を構成するハードウェアの改変を伴わず、サービス情報取得部１４０の制御プログラムの改変により実現することができる。また、受信装置２０において、サービス情報から輝度情報を取得することも、ハードウェアの改変を伴わずサービス情報の解析プログラムの改変により実現することができる。
ＭＨ−ＥＩＴを利用することによって、輝度情報は番組毎に伝送可能となる。受信装置２０においては、輝度情報を取得する際、ＥＰＧの生成過程に含まれるＭＨ−ＥＩＴを解析する処理を利用することができる。そのため、改変規模が比較的小さくて済む。
【００４０】
また、受信装置２０の表示情報取得部２４３は、受信したＭＨ−ＥＩＴに基づいてＥＰＧを生成するとき、番組毎の輝度情報を含めることができる。図６は、本実施形態に係るＥＰＧの一例を示す図である。ＥＰＧは、例えば、操作信号によりＥＰＧの提示が指示されるとき、表示部２２に表示される。
図６に示す例では、ＥＰＧは、チャンネル毎に放送時間が先行する順に各番組の記述欄が配列されてなる。記述欄には、当該番組の番組名、放送時間、出演者および内容の他、輝度情報としてＨＤＲおよび４０００Ｃｄが含まれる。ＨＤＲ、４０００Ｃｄは、それぞれ輝度範囲がＨＤＲであること、当該番組の映像の最大輝度が４０００Ｃｄ／ｍ２であることを示す。輝度の大きさは、具体的な数値に代えて所定の段階数（例えば、４〜１２段階）で離散化されたレベル（輝度レベル）で表されてもよい。これにより、ユーザは、各番組において提供される輝度範囲のおよそのレベルを把握することができる。
【００４１】
また、輝度範囲に応じて、当該番組の記述欄の背景の輝度、色相、模様などの表示態様が異なっていてもよい。例えば、図６に示す例では、ＨＤＲ映像が提供される番組の記述欄が網掛けで表示され、その他の番組、つまりＳＤＲ映像が提供される番組の記述欄が無地で表される。これにより、ＨＤＲ映像が提供される番組とＳＤＲ映像が提供される番組が容易に識別される。また、番組において提供される映像の輝度範囲が広いほど記述欄の背景が明るく表されてもよい。これにより、ユーザは、直感的に提供される映像の輝度範囲を知得することができる。そして、ＥＰＧの利用によりチャンネルを跨いで番組毎の輝度情報が提示されるので、ユーザは切り替えようとするチャンネルで提供される番組の映像の輝度範囲を知得することができる。そして、輝度調整部２２２にはチャンネル切替後に放送される番組において提供される映像の輝度範囲を調整するための手がかりが与えられる。
【００４２】
次に、輝度記述子に記述される輝度情報の例について説明する。輝度記述子に記述される輝度情報には、例えば、（１）輝度値の最小値、最大値、（２）輝度の最小値、最大値、（３）輝度割合、（４）その他の情報、が含まれうる。（１）輝度値の最小値、最大値は、番組において提供される映像データが表す画素毎の輝度値の最小値、最大値を意味する。画素毎の輝度値が１０ビットで表される場合には、輝度値の最小値、最大値は、０〜１０２３のいずれかの値で表される。（２）輝度の最小値、最大値は、番組において提供される映像データが表す画素毎の輝度の最小値、最大値（単位：Ｃｄ／ｍ２）を意味する。（３）輝度割合は、番組において提供される映像データが示す輝度値の代表値をＩＲＥ値として表された値（単位：％）である。代表値は、例えば、最大値または平均値である。ＩＲＥ値は、基準黒レベルを表す所定の信号値を０％とし、基準白レベルを表す所定の信号値を１００％として輝度値を正規化した値である。（４）その他の情報として、ディスプレイの方式と輝度レベルの組が含まれる。
【００４３】
（１）、（２）、（３）、（４）は、輝度記述子において、それぞれ次に例示されるように記述されてもよい。（４）のディスプレイの方式には、機種、型番、バージョン番号、メーカ名もしくはメーカＩＤなどの機種やメーカを特定するための付帯情報が含まれてもよい。
次に示す（１）、（２）などの符号は、輝度記述子には記述されない。
（１） ７０．８００  （２）２０．３０００  （３）４０  （４）Ｐ−ＬＥＤ  ６，Ｍ−ＬＣＤ  ８
【００４４】
（１）の７０．８００は、それぞれ輝度値の最小値、最大値を示す。（２）の２０．３０００は、それぞれ輝度の最小値、最大値を示す。（３）の４０は、輝度値の最大値をＩＲＥ値で表した値である。（４）のＰ−ＬＥＤ  ６は、機種ＰのＬＥＤディスプレイについて放送される映像の輝度レベルが６であること、Ｍ−ＬＣＤ  ８の機種ＭのＬＣＤディスプレイについて放送される映像の輝度レベルが８であることを示す。この例では、表示部２２として用いられるディスプレイの輝度レベルは、輝度調整部２２２に予め設定され、輝度レベルが表す輝度範囲との関係が異なることを前提としている。輝度レベルが表す輝度範囲（輝度の最大値）との関係を示す輝度レベルテーブルが記憶部２５０に予め記憶されていれば、輝度調整部２２２は、輝度レベルテーブルを参照して特定した輝度レベルに対応する輝度範囲を特定することができる。ディスプレイの方式やメーカが数種に限定される場合、番組制作者は、輝度レベルに接することで当該ディスプレイにより表現可能な輝度範囲を予め知ったうえで、映像を制作することができる。（４）のディスプレイの方式と輝度レベルの組の数は、上述したように複数組であってもよいし、１組であってもよい。
【００４５】
輝度記述子に記述される輝度情報には（１）−（４）のうち少なくともいずれか１つが含まれればよい。図７に示す例では、輝度値の最小値、最大値である７０、８００は、それぞれ映像の輝度の最小値、最大値、２０、３０００ｃｄ／ｍ２に対応付けられる。また、（１）の輝度値の最大値、最小値のうち最小値、（２）の輝度の最大値、最小値のうち最小値は省略されてもよい。そのような場合でも、最小値を０もしくは０から所定範囲内の十分に小さい値とみなすことで、番組に提供される映像の輝度範囲が近似的に表されるためである。これらの輝度範囲を表す情報は、輝度調整部２２２における輝度調整に用いられる。
【００４６】
（輝度情報取得処理）
次に、本実施形態に係る輝度情報取得処理について説明する。図８は、本実施形態に係る輝度情報取得処理を示すフローチャートである。図８に示す処理は、サービス情報処理部２４２には、分離部２１２から入力されたサービス情報からＭＨ−ＥＩＴを抽出した後で開始される。
【００４７】
（ステップＳ１０１）サービス情報処理部２４２は、抽出したＭＨ−ＥＩＴの記述子領域から１個の記述子を抽出する。初回に抽出される記述子は、記述子領域の先頭に記述される記述子である。その後、ステップＳ１０２に進む。
（ステップＳ１０２）サービス情報処理部２４２は、抽出した記述子の記述子タグ（ｄｅｓｃｒｉｐｔｏｒ＿ｔａｇ）に記述された記述子タグが輝度記述子のタグ「０ｘ８０３Ａ」と一致するか否かを判定する。これにより、抽出した記述子が輝度記述子であるか否かが判定される。一致すると判定するとき（ステップＳ１０２  ＹＥＳ）、ステップＳ１０３の処理に進む。一致しないと判定するとき（ステップＳ１０２  ＮＯ）、ステップＳ１０４の処理に進む。
【００４８】
（ステップＳ１０３）サービス情報処理部２４２は、抽出した輝度記述子に記載された輝度情報を抽出し、抽出した輝度情報を輝度調整部２２２に出力する。その後、図８に示す処理を終了する。
（ステップＳ１０４）サービス情報処理部２４２は、記述子領域に次の記述子が存在するか否かを判定する。存在すると判定するとき（ステップＳ１０４  ＹＥＳ）、注目する記述子を次の記述子に変更し、ステップＳ１０１の処理に戻る。存在しないと判定するとき（ステップＳ１０４  ＮＯ）、図８の処理を終了する。
図８に示す処理により、ＭＨ−ＥＩＴに輝度情報が含まれているか否かが判定され、含まれている場合に輝度情報が輝度調整部に出力される。
【００４９】
（輝度変換処理）
次に、本実施形態に係る輝度変換処理の例について説明する。図９は、本実施形態に係る輝度変換処理の一例を示すフローチャートである。図９に示す例は、映像の輝度情報において明示的に最大輝度を表す情報、つまり（１）輝度値の最大値、（２）輝度の最大値が記述されている場合を例にする。次の説明では、輝度値の最大値と輝度の最大値を最大輝度と総称する。
【００５０】
（ステップＳ１１１）輝度調整部２２２は、サービス情報処理部２４２から入力された映像の輝度情報が示す映像の最大輝度と、表示部２２（ディスプレイ）が表示可能な最大輝度とを比較する。その後、ステップＳ１１２の処理に進む。
（ステップＳ１１２）映像の最大輝度が表示部２２の最大輝度よりも大きい場合（ステップＳ１１２  ＹＥＳ）、ステップＳ１１３の処理に進む。映像の最大輝度が表示部２２の最大輝度以下である場合（ステップＳ１１２  ＮＯ）、ステップＳ１１６の処理に進む。
（ステップＳ１１３）映像の最大輝度が表示部２２の最大輝度より所定の超過量以上大きい場合（ステップＳ１１３  ＹＥＳ）、ステップＳ１１４の処理に進む。超過量は、例えば、輝度値の領域において最大値の１０〜３０％、輝度の領域において最大値の２３〜７８％である（ガンマ値が２．２である場合）。映像の最大輝度が表示部２２の最大輝度よりも大きい度合いが所定の超過量未満である場合（ステップＳ１１３  ＮＯ）、ステップＳ１１５の処理に進む。
【００５１】
（ステップＳ１１４）輝度調整部２２２は、映像復号部２２１から入力された映像データが示す映像の最大輝度が表示部２２の最大輝度以下となるように圧縮処理を行う。圧縮処理において、輝度調整部２２２は、例えば、映像の最小輝度に係る輝度値から最大輝度に係る輝度値までの輝度値の範囲が、表示部２２の最小輝度に係る輝度値から最大輝度に係る輝度値までの輝度値の範囲となるように画素毎の輝度値を線形変換する。輝度調整部２２２は、圧縮処理により得られた画素毎の輝度値を表す映像データを表示処理部２２３に出力する。その後、図９に示す処理を終了する。
【００５２】
（ステップＳ１１５）輝度調整部２２２は、映像復号部２２１から入力された映像データが表す映像について、表示部２２の最大輝度を超える輝度が、その最大輝度となるようにクリッピング処理を行う。クリッピング処理において、輝度調整部２２２は、例えば、映像の画素毎の輝度値のうち、表示部２２の最大輝度に係る輝度値を超える画素の輝度値を、表示部２２の最大輝度に係る輝度値に置き換える。輝度調整部２２２は、クリッピング処理により得られた画素毎の輝度値を表す映像データを表示処理部２２３に出力する。その後、図９に示す処理を終了する。
【００５３】
（ステップＳ１１６）輝度調整部２２２は、映像復号部２２１から入力された映像データについて変換処理を行わずに、表示処理部２２３に出力する。その後、図９に示す処理を終了する。
【００５４】
なお、クリッピング処理によれば、表示される映像のうち輝度が高い部分が、表示部２２が表示可能な最大輝度に均一化してしまう。番組で提供される映像の輝度範囲が、表示部２２が表示可能な輝度範囲よりも格段に大きい場合には、そのような部分が映像全体に占める割合が大きくなる。そのため、処理後の映像が表示される白潰れした映像として認識される。但し、番組で提供される映像の輝度範囲が、表示部２２が表示可能な輝度範囲を超える度合いが少ない場合には、その部分が画像全体に占める割合が小さい。そのため、処理後の映像でも本来表示されるべきＨＤＲ映像に近い品質を有する映像が表示される。さらに、番組で提供される映像の輝度範囲が、表示部２２が表示可能な輝度範囲を超えない場合には、本来のＨＤＲ映像が表示される。
【００５５】
他方、圧縮処理によれば、番組で提供される映像の輝度範囲が表示部２２によって表示可能な輝度範囲内になるように、映像全体の階調の空間変化（グラディエーション）が表現される。そのため、番組で提供される映像の輝度範囲が、表示部２２が表示可能な輝度範囲よりも格段に大きい場合でも、処理後の映像はクリッピング処理により得られた映像のように白潰れした映像として認識されない。しかしながら、番組で提供される映像の輝度範囲のディスプレイが表示可能な輝度範囲からの超過量が比較的に少ない場合には、本来表示されるべきＨＤＲ映像よりも輝度が映像全体にわたり低下する現象が比較的顕著に認識される。
【００５６】
図９に示す処理によれば、番組で提供される映像の輝度範囲の表示部２２が表示可能な輝度範囲からの超過量が大きい場合に圧縮処理が行われ、超過量が少ない場合にクリッピング処理が行われる。そのため、超過量が大きい場合には映像全体の階調の輝度範囲が表現されるという圧縮処理の利点と、超過量が小さい場合には本来のＨＤＲ映像に近い品質を有する映像が表示されるというクリッピング処理の利点が両立する。そして、番組で提供される映像の輝度範囲が、表示部２２が表示可能な輝度範囲を超えない場合には、処理は行われないので、本来のＨＤＲ映像が完全に表示される。
【００５７】
輝度情報に（３）輝度割合、（４）ディスプレイの方式と輝度レベルの組、が含まれる場合においても、輝度調整部２２２は図９に示す処理を実行することができる。但し、輝度情報に代表値として最大値の（３）輝度割合、が含まれる場合には、輝度調整部２２２は、輝度割合を輝度値の最大値に換算し、換算した輝度値の最大値を上述した映像の最大輝度として用いればよい。輝度情報に（４）ディスプレイの方式と輝度レベルの組、が含まれる場合には、輝度調整部２２２は、輝度情報から表示部２２として用いられるディスプレイの方式を特定し、特定した方式と一致する方式に対応する映像の輝度レベルを特定する。
輝度調整部２２２は、特定した方式の輝度レベルテーブルを参照して、表示部２２と映像それぞれの輝度レベルに対応する輝度範囲に係る最大輝度を特定すればよい。
【００５８】
また、輝度または輝度値の大きさが輝度レベルとして表されている場合には、図９に示す処理において、輝度調整部２２２は、輝度レベルとして表された映像の最大輝度と輝度レベルとして表された表示部２２のディスプレイの最大輝度とが直接比較されてもよい。例えば、表示部２２の輝度レベルが０から１０までの１１段階のうち６である場合を仮定する。その場合、輝度調整部２２２は、映像の輝度レベルが９または１０であるとき圧縮処理を選択し、映像の輝度レベルが７または８であるときクリッピング処理を選択し、映像の輝度レベルが６以下であるとき処理を行わない。
【００５９】
なお、輝度情報には、ＨＤＲ映像データにおいて所定の輝度値よりも大きい輝度値の出現頻度の情報が含まれてもよい。所定の輝度値は、例えば、ＳＤＲ映像において表現される輝度の最大値（例えば、１００ｃｄ／ｍ２）を示す輝度値（例えば、１０ビットの場合５１２）である。そこで、ステップＳ１１３の処理において、輝度調整部２２２が、映像の最大輝度がディスプレイの最大輝度より所定の超過量以上大きいと判定した場合において、出現頻度が所定の出現頻度の閾値よりも低い場合にステップＳ１１５の処理に進んでもよい。この処理により、クリッピング処理が選択される。最大輝度が大きい場合でも輝度が大きい画素が少ない場合には、本来のＨＤＲ映像に近い品質を有する映像が表示される。
【００６０】
輝度値の出現頻度の情報として、ＨＤＲ映像における輝度値の最大値（例えば、１０ビットの場合９４０）からの輝度値毎の累積頻度の情報が含まれてもよい。その場合には、輝度調整部２２２は、表示部２２の最大輝度に係る輝度値として所定の輝度値に定めてもよい。また、輝度値の出現情報の情報として、ディスプレイの方式毎にその最大輝度に係る輝度値よりも大きい輝度値の出現頻度の情報が含まれてもよい。その場合には、輝度調整部２２２は、輝度情報から表示部２２として用いられているディスプレイの方式の最大輝度に係る輝度値よりも大きい輝度値の出現頻度を所定の輝度値として定めてもよい。
【００６１】
（輝度情報の追加情報および輝度調整）
なお、輝度情報には、追加情報として、さらに（５）ＳＤＲ映像データから変換されたＨＤＲ映像データであることを示す変換情報（変換フラグ）が含まれてもよい。その場合、輝度調整部２２２は、映像データについて輝度の伸長処理を行ってもよい。輝度の伸長処理において、輝度調整部２２２は、画素毎の輝度値が表す輝度について所定の伸長率（例えば、２）を乗じて得られる伸長後の輝度に対応する輝度値を算出する。輝度調整部２２２は、算出した画素毎の輝度値を示す映像データを表示処理部２２３に出力する。この処理により、表示部２２は、当該伸長率で伸長された輝度の画像を表示することができる。ＳＤＲ映像データで表示される映像の輝度範囲（例えば、０〜１００ｃｄ／ｍ２）を与えるＳＤＲ映像データにおける輝度値の範囲（例えば、８ビットの場合１６〜２４０）と、その輝度範囲を与える変換されたＨＤＲ映像データにおける輝度値の範囲（例えば、１０ビットの場合６４〜５１２）とは一意に対応付けられている。本来、変換されたＨＤＲ映像データに基づく映像の輝度は、ＳＤＲ映像データに基づく輝度と等しくなるはずである。
【００６２】
しかしながら、ＳＤＲ映像データに基づく映像の輝度範囲が、従来のＳＤＲ映像データに基づく映像を表示する受信装置において表示可能な輝度範囲（例えば、０〜２００ｃｄ／ｍ２）と同等の輝度範囲に伸長されるように表示部２２において輝度が調整されることがある。そのため、輝度の伸長処理を行わないと他の番組において提供されるＳＤＲ映像データに基づくＳＤＲ映像の輝度よりも変換されたＨＤＲ映像データに基づくＨＤＲ映像の輝度が相対的に低下してしまう。上述した輝度の伸長処理によれば、ＳＤＲ映像データに基づくＳＤＲ映像の輝度範囲と等しくなるように変換されたＨＤＲ映像データに基づくＨＤＲ映像の輝度範囲が調整される。なお、輝度調整部２２２は、所定の伸長率として、ＳＤＲ映像データの輝度値の最大値（例えば、８ビットの場合２４０）に対応するＨＤＲデータの輝度値（例えば、１０ビットの場合５１０）で与えられる輝度に対するＳＤＲ映像データに基づく輝度の最大値の比を用いてもよい。
【００６３】
輝度調整部２２２は、輝度の伸長処理を行って得られた映像データについて、さらにゲイン調整処理を行ってもよい。ゲイン調整処理において、輝度調整部２２２は、画素毎の輝度値に所定のゲイン値を乗じる。ゲイン値は、その輝度値が大きいほど大きい値である。ゲイン調整処理によれば、処理前の映像の輝度が低いほど輝度が低下する。輝度調整部２２２は、一例として、所定の輝度値（例えば、１０ビットの場合２５６）よりも小さい輝度値（低階調域）に対して１よりも小さいゲイン値を乗じることで、所定の輝度値よりも大きい輝度値（高階調域）に対しては、当該輝度値を維持する（ゲイン値が１であることに相当）。ゲイン調整処理によれば、映像に混入され輝度の伸長によって増幅されるノイズに対する知覚を抑制できる。人間の視覚特性によれば、輝度が高い明部よりも暗部の方が輝度の変化に対する知覚が鋭敏であるためである。なお、ゲイン値は、乗じられる輝度値が大きいほど大きく、輝度値が小さいほど小さければ、３段階以上であってもよい。輝度調整部２２２は、輝度の伸長処理を行って得られた映像処理またはゲイン調整処理を行って得られた映像データに、さらに平滑化処理（スムージング）を行ってもよい。平滑化処理において、輝度調整部２２２は、例えば、低域フィルタリングを行って空間周波数が所定のカットオフ周波数よりも低い成分を通過させる。空間周波数が高いノイズ成分が除去または低減されるので、ノイズに対する知覚が抑制される。
【００６４】
なお、上述した輝度の伸長処理とゲイン調整処理が、輝度値の調整に基づく処理である場合を例にしたが、これには限られない。輝度調整部２２２は、表示部２２の画素毎に発光する画像光の輝度を調整してもよい。輝度の伸長処理において、輝度調整部２２２は、画素毎の輝度を上述した伸長率で増幅すればよい。ゲイン調整処理において、輝度調整部２２２は、特許４９９１９４９号に記載の映像表示装置と同様に、表示部２２の画素について輝度値が高い画素の輝度よりも輝度値が低い画素の輝度を減衰させればよい。
【００６５】
また、輝度調整部２２２が行う輝度の伸長処理の要否は、ユーザの操作に基づいて設定可能であってもよい。設定において、表示情報取得部２４３は、例えば、設定項目として輝度の伸長処理の要否を含む設定画面（図示せず）を表示部２２に表示させる。設定画面が表示されているとき、入力部２１５から入力された操作信号に基づいて輝度の伸長処理が指示される。輝度調整部２２２が行う輝度の伸長処理の要否は、表示部２２として用いられるディスプレイの機種（モデル）に応じて定められてもよい。ここで、輝度調整部２２２は、ＳＤＲ映像の輝度の調整を行う所定の機種については、輝度の伸長処理と判定し、ＳＤＲ映像の輝度の調整を行わない機種については、輝度の伸長処理を行わないと判定する。なお、ゲイン調整処理についても、輝度の伸長処理と同様にユーザの操作もしくはディスプレイの機種に応じて定められてもよい。
【００６６】
また、輝度情報には、さらに（６）ＳＤＲ映像データからＨＤＲ映像データへの変換に用いたパラメータの情報、が含まれてもよい。（６）の情報には、例えば、変換後の輝度値の最大値もしくは輝度の最大値がある。輝度調整部２２２は、これらの情報を用いて、上述した輝度変換処理を行ってもよい。（６）の情報が含まれる場合には、（１）〜（４）の情報が省略されてもよい。
【００６７】
（変形例）
次に、本実施形態の一変形例について説明する。送信装置１０のサービス情報取得部１４０は、輝度情報をＭＨ−ＥＩＴに代えて、ＭＰＴに含めてサービス情報を生成してもよい。ここで、ＭＰＴのデータ構造について説明する。図１０は、本変形例に係るＭＰＴのデータ構造の一例を示す図である。
図１０に示す例では、ＭＰＴ（ＭＭＴ＿Ｐａｃｋａｇｅ＿Ｔａｂｌｅ（））には、番組データの構成を示す構成情報が格納される。ＭＰＴは、バーション（ｖｅｒｓｉｏｎ）、ＭＰＴ記述子領域（ＭＰＴ＿ｄｅｓｃｒｉｐｔｏｒｓ＿ｂｙｔｅ）およびアセット毎のアセットタイプ（ａｓｓｅｔ＿ｔｙｐｅ）を含んで構成される。バージョンは、ＭＰＴのバージョン番号を示す。ＭＰＴに格納される情報が更新される毎にバージョン番号が昇順に更新される。ＭＰＴ記述子領域は、ＭＰＴの記述子である。ＭＰＴ記述子には、その時点において伝送される番組データに関する記述子が記述され、本変形例では輝度記述子が記述される。従って、受信装置２０のサービス情報処理部２４２は、サービス情報に含まれるＭＰＴから輝度記述子を検出し、検出した輝度記述子に記述された輝度情報を読み取る。輝度情報は、上述したように番組毎に設定される。
【００６８】
ＭＰＴに記述される輝度記述子のデータ構造は、図５に示すデータ構造と同様であってもよい。記述子タグには、当該記述子がＭＰＴに記述される輝度記述子であることを示すタグとして、図５に示すものとは異なる記述子タグ、例えば、「０ｘＦ０」が記述されてもよい。
なお、アセットタイプ（ａｓｓｅｔ＿ｔｙｐｅ）は、アセットの種類を示す情報である。アセットとは、番組の構成要素を意味する。例えば、アセットタイプとして「ｈｖｃ１」が記述されるアセットは映像を示し、アセットタイプとして「ｍｐ４ａ」が記述されるアセットは音声を示す。
【００６９】
（輝度情報取得処理）
次に、本変形例に係る輝度情報取得処理について説明する。図１１は、本変形例に係る輝度情報取得処理を示すフローチャートである。図１１に示す処理は、サービス情報処理部２４２には、分離部２１２から入力されたサービス情報からＭＰＴを抽出した後で開始される。
【００７０】
（ステップＳ１２１）サービス情報処理部２４２は、抽出したＭＰＴのＭＰＴ記述子領域から１個の記述子を抽出する。初回に抽出される記述子は、ＭＰＴ記述子領域の先頭に記述される記述子である。その後、ステップＳ１２２に進む。
（ステップＳ１２２）サービス情報処理部２４２は、抽出した記述子の記述子タグ（ｄｅｓｃｒｉｐｔｏｒ＿ｔａｇ）に記述された記述子タグが輝度記述子のタグ「０ｘ８０３Ａ」と一致するか否かを判定する。一致すると判定するとき（ステップＳ１２２  ＹＥＳ）、ステップＳ１２３の処理に進む。一致しないと判定するとき（ステップＳ１２２  ＮＯ）、ステップＳ１２４の処理に進む。
【００７１】
（ステップＳ１２３）サービス情報処理部２４２は、抽出した輝度記述子に記載された輝度情報を抽出し、抽出した輝度情報を輝度調整部２２２に出力する。その後、図８に示す処理を終了する。
（ステップＳ１２４）サービス情報処理部２４２は、ＭＰＴ記述子領域に次の記述子が存在するか否かを判定する。存在すると判定するとき（ステップＳ１２４  ＹＥＳ）、注目する記述子を次の記述子に変更し、ステップＳ１２１の処理に戻る。存在しないと判定するとき（ステップＳ１２４  ＮＯ）、図１１の処理を終了する。
【００７２】
その後、輝度調整部２２２は、サービス情報処理部２４２から入力された輝度情報を用いて上述した輝度調整に係る処理を行う。輝度調整に係る処理は、例えば、図９に示す輝度変換処理である。
ＭＰＴは、その時点に伝送される番組データの構成を示す情報を格納するため、各番組内において可変な輝度情報の伝送が可能となる。例えば、ある本編番組の放送時間内において、一時的に広告番組（ＣＭ：Ｃｏｍｍｅｒｃｉａｌ  Ｍｅｓｓａｇｅ）が挿入される場合を考える。この場合、送信装置１０のサービス情報取得部１４０は、本編番組に係る輝度情報を、広告番組の開始に際して当該広告番組の輝度情報に変更し、本編番組の再開に際して当該本編番組の輝度情報に戻す。
【００７３】
なお、輝度記述子は、ＭＰＴ記述子領域に代えて、輝度情報において番組を構成する映像に係るアセット記述子領域（ａｓｓｅｔ＿ｄｅｓｃｒｉｐｔｏｒｓ＿ｂｙｔｅ）に記述されてもよい。サービス情報処理部２４２は、ＭＰＴ記述子領域に代えてアセット毎のアセット記述子領域について図１１に示す処理を行う。これにより、番組を構成する映像が複数系統ある場合において、輝度調整部２２２は、記述される輝度情報を用いる輝度変換処理の対象となる映像を特定することができる。
【００７４】
以上に説明したように、本実施形態に係る受信装置２０は、番組のサービス情報に基づいて番組の映像の輝度範囲である第１輝度範囲に関する輝度情報を取得するサービス情報処理部２４２を備える。また、受信装置２０は、表示部２２が映像を表示可能な輝度範囲である第２輝度範囲から第１輝度範囲の超過量に基づいて映像の輝度を第２輝度範囲内に調整する輝度調整部２２２を備える。
この構成により、番組のサービス情報に含まれる輝度情報に基づいて映像を表示できない輝度範囲の超過量を定め、定めた超過量に応じた映像の輝度が調整される。その時々の映像の状況に関わらず番組毎に映像の輝度が適切に調整される。また、輝度の調整に用いる輝度範囲は、複雑な解析を行うことなく容易に定められる。
【００７５】
また、輝度調整部２２２は、第２輝度範囲の最大値から第１輝度範囲の最大値の超過量に基づいて前記映像の輝度の調整方法を定める。
この構成により、映像を表示できない輝度範囲の超過量に応じて適切な調整方法が選択され、選択された調整方法を用いて番組全体として映像の輝度が適切に調整される。
【００７６】
また、輝度調整部２２２は、超過量が所定の超過量の閾値を超えるとき調整方法として圧縮処理を選択し、超過量が所定の超過量を超えないとき前記調整方法としてクリッピング処理を選択する。
この構成により、超過量が大きいとき圧縮処理により映像の階調が維持され、超過量が小さいときクリッピング処理により表示可能な最大輝度に制限される領域が限られるので番組全体として映像の輝度が適切に調整される。
【００７７】
また、輝度調整部２２２は、前記輝度情報に前記コンテンツの映像の輝度範囲がより狭い所定の輝度範囲から拡大したことを示す変換情報が含まれるとき、前記映像の輝度範囲を伸長する。
この構成により、変換情報が含まれる番組全体の映像が明るくなる。他の番組で提供される所定の輝度範囲の映像について標準の輝度よりも明るく表示されるとき、その映像との輝度の差が抑制または解消される。
【００７８】
また、輝度調整部２２２は、輝度範囲を伸長した映像の輝度が低い部分ほど輝度を低下させる。
この構成により、輝度が低い領域においてより顕著に知覚されるノイズの成分が低減するので、映像全体として視認される品質を向上させることができる。
【００７９】
（第２の実施形態）
次に、本発明の第２の実施形態について説明する。第１の実施形態と同一の構成については、同一の符号を付してその説明を援用する。
図１２は、本実施形態に係る放送システム１の構成を示す概略ブロック図である。図１２に示す例では、放送システム１は、送信装置１０、受信装置２０およびサーバ装置３０を含んで構成された放送通信連携システムである。サーバ装置３０は、例えば、放送事業者または番組提供者が管理するサーバ装置である。
【００８０】
通信伝送路ＣＴは、サーバ装置３０と受信装置２０との間で各種のデータを双方向的に伝送する伝送路である。通信伝送路ＣＴは、例えば、インターネット、公衆無線通信網、等の広域通信網を含む。通信伝送路ＣＴには、一部に構内通信網（ＬＡＮ：Ｌｏｃａｌ  Ａｒｅａ  Ｎｅｔｗｏｒｋ）や専用のアクセス網が含まれてもよい。なお、通信伝送路ＣＴを介して各種のデータを伝送（または、送信、受信）することを、「通信で伝送（または、送信、受信）する」と呼ぶことがある。
【００８１】
サーバ装置３０は、受信装置２０からアプリケーション要求信号を受信するとき、その応答としてアプリケーションプログラム（以下、アプリケーションと呼ぶ）を受信装置２０に送信する。アプリケーション要求信号は、対象のアプリケーションの要求を指示する信号である。当該アプリケーションは、所定の記述言語（例えば、ＨＴＭＬ５）で記述され、番組の提示に係る各種の機能を実現するための命令が記述される。アプリケーションの機能例については、後述する。
【００８２】
本実施形態に係る送信装置１０のサービス情報取得部１４０（図２参照）は、さらにアプリケーション制御情報を取得し、取得したアプリケーション制御情報の存在を示す情報をＭＰＴに記述し、そのＭＰＴを含んだサービス情報を生成する。アプリケーション制御情報は、アプリケーションの取得先情報としてサーバ装置３０のＵＲＬ（Ｕｎｉｆｏｒｍ  Ｒｅｓｏｕｒｃｅ  Ｌｏｃａｔｏｒ）、アプリケーションの起動、停止、等の実行を制御するための情報が含まれる。制御情報は、例えば、所定のデータ形式を有するアプリケーション情報テーブル（ＭＨ−ＡＩＴ：Ａｐｐｌｉｃａｔｉｏｎ  Ｉｎｆｏｒｍａｔｉｏｎ  Ｔａｂｌｅ）として表される。本実施形態では、アプリケーションに当該番組の映像の輝度情報の取得コマンドが含まれてもよい。受信装置２０の輝度調整部２２２は、アプリケーションによって取得された輝度情報を用いて映像の輝度を調整する。取得コマンドには、例えば、取得先情報として輝度情報が配置された機器のアドレスと当該輝度情報が格納されたデータファイルのファイル名が含まれる。アプリケーションに輝度情報の取得コマンドが含まれる場合もしくはアプリケーションに輝度情報が含まれる場合には、ＭＨ−ＥＩＴまたはＭＰＴにおいて輝度記述子が省略されてもよい。
【００８３】
アプリケーション制御情報ならびにアプリケーションにも、放送サービスの提供に係るサービス情報が含まれるが、ＭＭＴ−ＳＩとは別個の情報単位として処理される。多重化部１５０は、さらにアプリケーション制御情報を多重化して多重化データを生成する。受信装置２０の分離部２１２（図１３参照）は、復号部２１１から入力される多重化データからさらにアプリケーション制御情報を分離し、分離したアプリケーション制御情報をサービス情報処理部２４２に出力する。
【００８４】
（受信装置）
次に、本実施形態に係る受信装置２０の構成について説明する。図１３は、本実施形態に係る受信装置２０の構成を示す概略ブロック図である。
本実施形態に係る受信装置２０は、通信部２６０を含んで構成される。
通信部２６０は、通信伝送路ＣＴを介して接続されたサーバ装置３０から受信した各種の受信データを制御部２４０に出力し、制御部２４０から入力された各種の送信データをサーバ装置３０に送信する。通信部２６０は、例えば、通信インタフェースである。
【００８５】
サービス情報処理部２４２は、さらにアプリケーション制御部２４４とアプリケーション実行部２４５を含んで構成される。
アプリケーション制御部２４４は、分離部２１２から入力されるアプリケーション制御情報に基づいてアプリケーションを取得し、取得したアプリケーションに記述された命令で指示される処理を制御する。なお、アプリケーションに記述された命令で指示される処理を行わせることを、「アプリケーションを実行する」または「アプリケーションの実行」と呼ぶ。
アプリケーション制御部２４４は、アプリケーション制御情報からアプリケーションの取得先情報を抽出し、抽出した取得先情報で指示されるサーバ装置３０にアプリケーション要求信号を送信する。アプリケーション制御部２４４は、その応答としてサーバ装置３０からアプリケーションを受信し、受信したアプリケーションをアプリケーション実行部２４５に出力する。アプリケーション制御部２４４は、アプリケーション制御情報に含まれる各種のコマンドに基づいてアプリケーション実行部２４５におけるアプリケーションの実行を制御する。
【００８６】
アプリケーション実行部２４５は、アプリケーション制御部２４４から入力されたアプリケーションを実行する。アプリケーション実行部２４５は、アプリケーションに記述された命令に基づいて、番組データが示す映像の提示に関する処理を他の機能部に実行させる。アプリケーション実行部２４５は、例えば、当該アプリケーションに記述された取得コマンドで指示された機器に通信部２６０を介して輝度情報要求信号を送信する。アプリケーション実行部２４５は、輝度情報要求信号の応答として当該機器から通信部２６０を介して輝度情報を受信する。なお、アプリケーションには、輝度情報が記述されてもよい。その場合には、アプリケーションにおいて取得コマンドが省略されてもよい。アプリケーション実行部２４５は、輝度調整部２２２に取得した輝度情報に基づく上述の輝度調整処理を実行させる。また、アプリケーション実行部２４５は、表示情報取得部２４３に表示情報として輝度調整画面を生成させ、生成させた輝度調整画面を表示部２２に表示させてもよい。そして、入力部２１５から入力される操作信号で指示される輝度範囲を用いて輝度調整部２２２に上述した輝度調整処理を実行させてもよい。以下の説明では、操作信号で指示される輝度範囲をユーザ設定輝度範囲と呼ぶことがある。
【００８７】
（アプリケーション制御）
次に、本実施形態に係るアプリケーション制御の例について説明する。アプリケーション制御情報には、起動指示（ＡＵＴＯＳＴＡＲＴ）、待機（ＰＲＥＳＥＮＴ）、終了（ＫＩＬＬ）などの制御情報が含まれる。図１４、図１５は、それぞれ本実施形態に係るアプリケーション制御の例を示す図である。図１４に示す例は、既に取得したアプリケーション０について、アプリケーション制御部２４４が起動指示に基づいて実行を開始させ、終了指示に基づいて実行を終了させることを示す。起動が指示されるアプリケーション０には、輝度情報を取得するための取得コマンドが含まれ、取得した輝度情報を輝度調整部２２２に出力するための提供コマンドが含まれる。アプリケーション制御部２４４が起動を指示する時期は、例えば、当該番組の開始時刻とアプリケーション０の取得が完了した時点（放送時間の途中から受信開始する時点）の遅い方である。アプリケーション制御部２４４が終了を指示する時期は、例えば、当該番組の終了時刻または放送時間の途中において当該番組の受信を終了する時点の早い方である。
【００８８】
図１５に示す例は、アプリケーション制御部２４４が、既に取得したアプリケーション１について実行を開始させ、アプリケーション２について実行を待機させることを示す。アプリケーション１には、輝度情報の取得コマンドが含まれる。アプリケーション２には、輝度情報設定コマンドが含まれる。輝度情報設定コマンドの実行に基づく輝度調整処理については後述する。アプリケーション制御部２４４がアプリケーション１の起動ならびにアプリケーション２の待機を指示する時期は、例えば、当該番組の開始時刻と当該アプリケーションの取得が完了した時点の遅い方である。待機により、アプリケーション実行部２４５は、ユーザ操作に応じて操作信号が入力される時点において、アプリケーション２の実行が開始される。そして、アプリケーション制御部２４４が終了を指示する時期は、アプリケーション１、２ともに、例えば、当該番組の終了時刻または放送時間の途中において当該番組の受信を終了する時点の早い方である。
【００８９】
アプリケーションの実行により取得される輝度情報は、その輝度情報に基づく輝度調整の開始時刻を示す時刻情報と対応付けられてもよい。時刻情報として、システムクロック（ＳＴＣ：Ｓｙｓｔｅｍ  Ｔｉｍｅ  Ｃｌｏｃｋ）で規定された時刻が用いられてもよい。ＳＴＣは、送信装置１０が受信装置２０における動作との同期を目的として生成したシステムクロックである。メディアトランスポート方式としてＭＭＴ方式が用いられる場合には、多重化データを細分化して格納するＩＰ（Ｉｎｔｅｒｎｅｔ  Ｐｒｏｔｏｃｏｌ）パケットには、ＮＴＰ（Ｎｅｔｗｏｒｋ  Ｔｉｍｅ  Ｐｒｏｔｏｃｏｌ）形式のタイムスタンプとしてシステムクロックに基づく時刻を示す時刻情報が受信装置２０に通知される。輝度調整部２２２は、通知されたタイムスタンプを参照して輝度情報に対応付けられた時刻情報が示す時刻を、当該輝度情報を適用する時刻として特定することができる。送信装置１０から伝送される映像データと同期をとることで、映像フレーム単位の精密な輝度調整が可能になる。図１６に示す例では、輝度調整部２２２が、輝度情報としてＳＴＣ（１）で規定される時刻以降の映像から輝度（１）を用いる。輝度調整部２２２は、ＳＴＣ（２）で規定される時刻以降の映像から輝度（２）を、ＳＴＣ（３）で規定される時刻以降の映像から輝度（３）を、それぞれ輝度調整に用いる。
【００９０】
次に、本実施形態に係るアプリケーション制御の手順について説明する。
図１７は、本実施形態に係るアプリケーション制御の一例を示すフローチャートである。図１７に示す処理は、図１４に示す制御例を実現するための手順である。
（ステップＳ１３１）アプリケーション制御部２４４は、分離部２１２から入力されるアプリケーション制御情報において指定された時刻においてアプリケーション０を起動し、指示された動作を開始させる。その後、ステップＳ１３２の処理に進む。
（ステップＳ１３２）アプリケーション実行部２４５は、アプリケーション０に記述された取得先からネットワークを介して輝度情報を取得する。その後、ステップＳ１３３の処理に進む。
（ステップＳ１３３）アプリケーション実行部２４５は、取得した輝度情報を輝度調整部２２２に出力する。その後、ステップＳ１３４の処理に進む。
（ステップＳ１３４）アプリケーション制御部２４４は、アプリケーション０に記述された処理を終了させる。その後、図１７に示す処理を終了する。
【００９１】
図１８は、本実施形態に係るアプリケーション制御の他の例を示すフローチャートである。図１８に示す処理は、図１５に示す制御例を実現するための手順である。
（ステップＳ１４１）アプリケーション制御部２４４は、分離部２１２から入力されるアプリケーション制御情報において指定された時刻においてアプリケーション１を起動し、アプリケーション１に記述された動作を開始させる。他方、アプリケーション制御部２４４は、その時刻においてアプリケーション２の起動を待機させる。このとき、アプリケーション実行部２４５は、アプリケーション２の起動に係る起動確認画面情報を表示情報取得部２４３に取得させ、表示部２２に起動確認画面を表示させてもよい。その後、ステップＳ１４２の処理に進む。
【００９２】
（ステップＳ１４２）アプリケーション実行部２４５は、アプリケーション１に記述された取得先からネットワークを介して輝度情報を取得する。その後、ステップＳ１４３の処理に進む。
（ステップＳ１４３）アプリケーション実行部２４５は、入力部２１５からアプリケーション２の起動を指示する操作信号が入力されるときアプリケーション２を起動し、アプリケーション２に記述された動作を開始する。その後、ステップＳ１４４の処理に進む。
【００９３】
（ステップＳ１４４）アプリケーション実行部２４５は、アプリケーション２に記述された輝度情報設定コマンドに従って表示情報取得部２４３に表示情報として輝度調整画面を生成させ、生成させた輝度調整画面を表示部２２に表示させる。ユーザの操作に応じて、入力部２１５からユーザ設定輝度範囲を示す操作信号が入力される。その後、ステップＳ１４５の処理に進む。
（ステップＳ１４５）アプリケーション実行部２４５は、ユーザ設定輝度範囲を示す輝度範囲情報を輝度調整部２２２に出力する。輝度調整部２２２は、アプリケーション実行部２４５から入力されたユーザ設定輝度範囲に基づく輝度調整を行う。その後、ステップＳ１４６の処理に進む。
【００９４】
（ステップＳ１４６）アプリケーション制御部２４４は、アプリケーション２に記述された動作を終了させる。その後、ステップＳ１４７の処理に進む。
（ステップＳ１４７）アプリケーション制御部２４４は、アプリケーション１に記述された処理を終了させる。その後、図１８の処理を終了する。
【００９５】
（アプリケーションの実行例）
次に、アプリケーションの実行例について説明する。図１９は、本実施形態に係るアプリケーションの一実行例を示す図である。
図１９（ａ）は、アプリケーション２の実行が待機されるとき表示部２２に表示される起動確認画面の例（起動確認画面Ｄｇ０１）を示す。図１９（ａ）に示す例では、起動確認画面Ｄｇ０１は、番組の映像の右下端から所定範囲内に重なって表示されている。この表示位置に表示された起動確認画面Ｄｇ０１は、ユーザによる番組の映像の視認を著しく妨げない。起動確認画面Ｄｇ０１には、アプリケーション２の機能を示す文字列「輝度を調整する」、「はい」ボタンおよび「いいえ」ボタンが配置されている。ユーザの操作に応じて「はい」ボタンが押下されるとき、アプリケーション実行部２４５はアプリケーション２を起動する。「いいえ」ボタンが押下されるときと起動確認画面Ｄｇ０１の右上端の×印が押下されるときには、アプリケーション制御部２４４は、アプリケーション２で指示された動作を終了させる。このとき、アプリケーション実行部２４５は、表示処理部２２３に起動確認画面Ｄｇ０１の表示を停止させる。なお、「押下」とは、ユーザの操作に応じて入力部２１５から、その表示領域内の位置を示す操作信号を取得することを意味する。
【００９６】
図１９（ｂ）は、アプリケーション２に記述された輝度情報設定コマンドに従って表示部２２に表示される輝度調整画面の例（輝度調整画面Ｄｇ０２）を示す。図１９（ｂ）に示す例では、輝度調整画面Ｄｇ０２は、番組の映像の右下端から所定範囲内に重なって表示されている。輝度調整画面Ｄｇ０２には、長手方向が水平方向に向けられた帯状の３本のバーＢｒ０１、Ｂｒ０２、Ｂｒ０３とスクロールバーＳｃ０１が上方から下方に順に配列されている。バーＢｒ０１、Ｂｒ０２、Ｂｒ０３の長さは、それぞれ表示部２２として用いられるディスプレイが表示可能な輝度範囲、放送において提供される映像の輝度範囲、ユーザ設定輝度範囲を示す。バーＢｒ０１、Ｂｒ０２、Ｂｒ０３の直上には、それぞれ表示可能な輝度範囲、映像の輝度範囲、ユーザ設定輝度範囲であることを示す文字列「パネルの能力」、「映像の輝度範囲」、「変換後の表示範囲」が表示される。スクロールバーＳｃ０１は、ユーザ設定輝度範囲を押下に応じて設定するための画面部品である。スクロールバーＳｃ０１の左端のアローは、押下によりユーザ設定輝度範囲の下限として設定される値をより小さくもしくは大きくするための画面部品である。スクロールバーＳｃ０１の右端のアローは、押下によりユーザ設定輝度範囲の上限として設定される値をより大きくもしくは小さくするための画面部品である。スクロールバーＳｃ０１の中央部に表されているノブは、押下されながら押下される位置が移動すると、その移動に伴い表示位置を移動して表示させるための画面部品である。その移動量に応じて変化したユーザ設定輝度範囲の上限と下限の両者が同時並行に設定される。但し、移動方向は水平方向に制限されている。従って、スクロールバーＳｃ０１への操作により、ユーザは、バーＢｒ０１を見ながら表示部２２が表示可能な輝度範囲を、バーＢｒ０２で表される映像の輝度範囲内にバーＢｒ０３で表されるユーザ設定輝度範囲を指示することができる。図１９（ｂ）に示す例では、ユーザ設定輝度範囲は、放送で提供される映像の輝度範囲内に制限されるが、表示部２２が表示可能な輝度範囲を超えてもよいし、超えなくてもよい。
【００９７】
図１９に示す例では、輝度調整部２２２が輝度調整に用いるパラメータとして、輝度情報が示す映像の最大輝度がユーザ設定輝度範囲の上限に更新される。つまり、輝度調整部２２２は、映像の最大輝度に代えてユーザ設定輝度範囲の上限を用いて輝度調整処理を行う。図９に例示される輝度調整処理では、ユーザ設定輝度範囲の上限が表示部２２の最大輝度よりも所定の超過量以上大きい場合、輝度調整部２２２は圧縮処理を行う。設定輝度範囲の上限が表示部２２の最大輝度よりも大きく、かつ表示部２２の最大輝度からの超過量が所定の超過量未満である場合、輝度調整部２２２はクリッピング処理を行う。ユーザ設定輝度範囲の上限が表示部２２の最大輝度よりも小さい場合、輝度調整部２２２は変換処理を行わない。従って、本実施形態によれば、ユーザ所望のユーザ設定輝度範囲について表示部２２が表示可能な輝度範囲からの超過量が大きい場合には映像全体の階調の輝度範囲が表現される。その超過量が小さい場合には本来のＨＤＲ映像に近い品質を有する映像が表示される。そして、ユーザ設定輝度範囲が、表示可能な輝度範囲を超えない場合には、本来のＨＤＲ映像が完全に表示される。
【００９８】
（変形例）
次に、本実施形態の一変形例について説明する。
本変形例に係る受信装置２０のアプリケーション制御部２４４は、取得したアプリケーションを、所定の他の機器に送信し、他の機器が送信したアプリケーションに記述された命令で指示される処理を制御する。つまり、本変形例ではアプリケーション制御部２４４は、アプリケーション実行部２４５におけるアプリケーションの実行に代え（例えば、図１４、図１５、図１７、図１８）、他の機器におけるアプリケーションの実行を制御する。他の機器が通信部（図示せず）を備える場合には、アプリケーション制御部２４４は、他の機器にアプリケーション制御情報に記述された取得先からアプリケーションを受信させてもよい。通信部は、通信伝送路ＣＴを介してサーバ装置３０と接続して各種のデータを送受信する。その場合には、受信装置２０において通信部２６０が省略されてもよい。
【００９９】
他の機器は、受信装置２０が受信する番組の提示を制御するための各種の制御情報を受信装置２０に提供し、受信装置２０から番組の提示に関する各種の表示情報を表示する制御機能を実現するセカンドディスプレイとして機能する。受信装置２０の入力部２１５は、リモートコントローラＲＣに代えて他の機器から受信した操作信号を制御部２４０に出力する。入力部２１５は、制御部２４０からの各種のデータを他の機器に送信する入出力インタフェースとして構成される。表示情報取得部２４３は、取得した表示情報を表示処理部２２３に出力する代わりに他の機器に送信する。他の機器は、視覚情報を表示する表示部と操作入力を受け付ける操作部とを備える情報機器であればよい。表示部であるディスプレイパネルと操作部であるタッチセンサとして一体化されたタッチパネルが用いされてもよい。他の機器は、例えば、携帯電話機（いわゆるスマートフォンを含む）、タブレット端末装置、パーソナルコンピュータ、などの情報機器である。以下、他の機器が情報機器４０である場合を例にする。
【０１００】
（表示例）
次に、本変形例に係るアプリケーションの実行例について説明する。次の説明では、情報機器４０においてアプリケーション３に基づいて実行される動作を例にする。アプリケーション３は、受信装置２０のアプリケーション制御部２４４からの指示により情報機器４０が通信伝送路ＣＴを介してサーバ装置３０から受信したアプリケーションである。
図２０は、本変形例に係るアプリケーション３の一実行例を示す図である。情報機器４０の主面のほぼ全体にタッチセンサが設置されている。
図２０（ａ）は、情報表示画面の一例を示す。図２０（ａ）に示す情報表示画面は、アプリケーション３の実行開始後に初めて表示される初期画面である。情報表示画面には、番組情報Ｐｇ０１、受信機情報Ｔｍ０１および輝度調整ボタンＢｔ０１を示す。番組情報Ｐｇ０１は、受信装置２０がその時点において受信している番組の番組情報である。番組情報Ｐｇ０１には、番組名、放送時間、出演者、番組内容および輝度情報が含まれる。映像情報を示す文字列「２０Ｃｄ⇔３０００Ｃｄ」は、輝度の最小値、最大値が、それぞれ２０Ｃｄ／ｍ２、３０００Ｃｄ／ｍ２であることを示す。受信機情報Ｔｍ０１は、受信装置２０の機種名を示す文字列「＄＄＄＄＄」と、パネル性能を表す文字列として「３０Ｃｄ」ならびに「２５００Ｃｄ」が記述されている。文字列「３０Ｃｄ」、「２５００Ｃｄ」は、表示部２２が表示可能な輝度の最小値、最大値が、それぞれ２０Ｃｄ／ｍ２、２５００Ｃｄ／ｍ２であることを示す。番組情報Ｐｇ０１は、受信装置２０のサービス情報処理部２４２がＭＨ−ＥＩＴから、その時点において放送信号を受信するチャンネルで提供される番組の部分を抽出して得られる。
【０１０１】
受信機情報Ｔｍ０１は、記憶部２５０に予め記憶された受信装置２０の機器情報の一部である。情報機器４０は、アプリケーション３の起動指示とともに受信装置２０のアプリケーション制御部２４４から番組情報Ｐｇ０１と受信機情報Ｔｍ０１を受信する。情報機器４０は、アプリケーション３に記述された情報表示画面生成指示に従って番組情報Ｐｇ０１と受信機情報Ｔｍ０１を用いて情報表示画面を生成する。輝度調整ボタンＢｔ０１は、押下により輝度調整画面を表示させるためのボタンである。情報機器４０は、アプリケーション３に記述された輝度情報設定コマンドに従って、輝度調整ボタンＢｔ０１の押下に応じて情報表示画面の消去と、輝度調整画面の表示を実行する。
【０１０２】
図２０（ｂ）は、情報表示画面の一例を示す。情報表示画面には、長手方向に水平方向に向けられた帯状のバーＢｒ１１、Ｂｒ１２、Ｂｒ１３が画面のほぼ中央部において上方から下方に順に表示されている。バーＢｒ１１、Ｂｒ１２、Ｂｒ１３の長さは、それぞれ表示部２２として用いられるディスプレイが表示可能な輝度範囲、放送において提供される映像の輝度範囲、ユーザ設定輝度範囲を示す。画面の下部には、バーＢｒ１１、Ｂｒ１２、Ｂｒ１３の説明として、それぞれのバーの表示態様を示すマーカと表示可能な輝度範囲、映像の輝度範囲、ユーザ設定輝度範囲であることを示す文字列「パネルの能力」、「映像の輝度範囲」、「変換後の表示範囲」が表示される。バーＢｒ１３は、その左端と右端が押下されながら押下される位置が移動すると、その移動に伴い左端と右端の表示位置が移動して表示される。図２０（ｂ）に示す例では、Ｂｒ１２とＢｒ１３の長さが等しい。このことは、ユーザ設定輝度範囲が映像の輝度範囲が等しいことを示す。図２０（ｃ）に示す例では、図２０（ｂ）に示す例よりもバーＢｒ１３の右端が左方に移動している。このことは、ユーザ設定輝度範囲の上限がより小さく設定されたことを意味する。バーＢｒ１３への操作により、ユーザは、バーＢｒ１１を見ながら表示可能な輝度範囲を、バーＢｒ１２で表される映像の輝度範囲内にバーＢｒ１３で表されるユーザ設定輝度範囲を指示することができる。情報機器４０は、輝度情報設定コマンドに従って設定されたユーザ設定輝度範囲の情報を受信装置２０の輝度調整部２２２に送信する。輝度調整部２２２は、映像の最大輝度に代えてユーザ設定輝度範囲の上限を用いて輝度調整処理を行う。
【０１０３】
輝度調整画面は情報機器４０の表示部に表示され、表示部２２には表示されないので、表示部２２に表示される番組の映像の視聴が妨げられない。また、情報機器４０が備える操作入力機能、情報表示機能を活用して、よりユーザビリティの高い輝度情報の設定が実現する。
【０１０４】
以上に説明したように、本実施形態に係る受信装置２０において、サービス情報はアプリケーション制御情報を含む。また、サービス情報処理部２４２は、アプリケーションプリケーション制御情報に基づいて所定のアプリケーションプログラムが指示する処理の実行を制御するアプリケーション制御部２４４を備える。アプリケーションプログラムは、受信装置２０または受信装置２０に接続された情報機器４０のコンピュータに輝度情報を通信で取得し、取得した輝度情報を輝度調整部２２２に出力させる。
この構成により、アプリケーションプログラムに基づいて通信で取得される輝度情報を用いて映像の輝度が調整される。そのため、放送事業者もしくはコンテンツ提供者から通信を介して提供される輝度情報によってユーザは輝度が適切に調整された映像を享受することができる。また、情報機器４０に輝度情報を取得させることにより受信装置２０の機能の複雑化を回避し、輝度調整を放送における付加サービスとしてユーザに認識させることができる。
【０１０５】
また、アプリケーションプログラムは、受信装置２０または受信装置２０に接続する他の情報機器４０のコンピュータにさらに、映像の輝度範囲である第１輝度範囲の情報と表示部２２が映像を表示可能な輝度範囲である第２輝度範囲の情報を表示させる。また、アプリケーションプログラムは、ユーザの操作に応じて指示された第２輝度範囲の情報を輝度調整部２２２に出力させる．
この構成により、ユーザは、表示される第１輝度範囲の情報、第２輝度範囲の情報を見ながら、所望の適切な第２輝度範囲の情報を設定することができる。輝度調整部２２２は、設定された第２輝度範囲に基づいて所望の輝度範囲に応じた輝度調整を行うことができる。
【０１０６】
（第３の実施形態）
次に、本発明の第３の実施形態について説明する。上述の実施形態と同一の構成については、同一の符号を付してその説明を援用する。
【０１０７】
本実施形態に係る受信装置２０のサービス情報処理部２４２は、サービス情報として、上述した輝度情報の他、マスターモニター情報を取得する。マスターモニター情報は、マスターモニターが映像を表示する表示能力を示す情報である。マスターモニターとは、番組の映像データの制作に用いられる表示装置である。以下の説明では、マスターモニター、マスターモニター情報を、それぞれ制作表示装置、制作表示能力情報と呼ぶことがある。
マスターモニター情報は、図２１に示すように、マスターモニターＭＭの最大輝度と画面サイズのいずれか一方又は両方が含まれる。最大輝度は、表示可能とする輝度の最大値である。マスターモニターＭＭの表示能力、特にＨＤＲ映像信号の制作に用いられる表示装置は、通例、市販される受信装置の表示部の表示能力よりも高い。サービス情報処理部２４２は、取得したマスターモニター情報を輝度調整部２２２に出力する。
【０１０８】
輝度調整部２２２は、上述した輝度調整に係る処理により輝度が調整された映像データについて、さらに次の処理を行うことにより、その輝度を再調整する。
ここで、輝度調整部２２２は、表示部２２の表示能力よりもマスターモニターＭＭの表示能力の方が高いとき、その映像データに係る映像の輝度をさらに高くする。そして、輝度調整部２２２は、表示部２２の表示能力とマスターモニターＭＭの表示能力の差が大きいほど、映像の輝度の調整量を大きくしてもよい。
【０１０９】
より具体的には、輝度調整部２２２は、次の処理を行う。
（ｉ）マスターモニター情報においてマスターモニターＭＭの画面サイズのみが指示されるときであって、表示部２２の画面サイズよりもマスターモニターＭＭの画面サイズが大きいとき、輝度調整部２２２は、例えば、画素毎の輝度値に所定の１以上の係数１（例えば、１．０３〜１．１）を乗じて再調整後の輝度値を算出する。
（ｉｉ）マスターモニター情報においてマスターモニターＭＭの最大輝度のみが指示され、表示部２２の最大輝度よりもマスターモニターＭＭの最大輝度が高いとき、輝度調整部２２２は、例えば、画素毎の輝度値に所定の１以上の係数１を乗じて再調整後の輝度値を算出する。
【０１１０】
マスターモニター情報において、マスターモニターＭＭの表示能力として最大輝度と画面サイズの両方が指示されていることがある。サービス情報処理部２４２は、（ｉｉｉ）、（ｉｖ）、（ｖ）、（ｖｉ）のそれぞれの場合、その場合に応じた処理を行う。
（ｉｉｉ）表示部２２の画面サイズよりもマスターモニターＭＭの画面サイズが大きく、かつ、表示部２２の最大輝度がマスターモニターＭＭの最大輝度以下であるとき。輝度調整部２２２は、例えば、画素毎の輝度値に所定の１以上の係数１を乗じて再調整後の輝度値を算出する。
（ｉｖ）表示部２２の画面サイズがマスターモニターＭＭの画面サイズ以下であり、かつ、表示部２２の最大輝度がマスターモニターＭＭの最大輝度よりも高いとき。輝度調整部２２２は、例えば、画素毎の輝度値に所定の１以上の係数１を乗じて再調整後の輝度値を算出する。
（ｖ）表示部２２の画面サイズよりもマスターモニターＭＭの画面サイズが大きく、かつ、表示部２２の最大輝度がマスターモニターＭＭの最大輝度よりも高いとき。輝度調整部２２２は、例えば、画素毎の輝度値に係数２を乗じて再調整後の輝度値を算出する。係数２は、係数１よりも大きい値、例えば、１．０６〜１．２であればよい。
（ｖｉ）表示部２２の画面サイズがマスターモニターＭＭの画面サイズ以下であり、かつ、表示部２２の最大輝度がマスターモニターＭＭの最大輝度以下であるとき。輝度調整部２２２は、例えば、画素毎の輝度値を調整せず、その輝度値を再調整後の輝度値とする。
サービス情報処理部２４２は、再調整後の輝度値を示す映像データを表示処理部２２３に出力する。
【０１１１】
なお、上述した例では、輝度調整部２２２は、輝度値に所定の係数を乗じることによって表示部２２に表示させる輝度を調整する場合を例にしたが、これには限られない。輝度調整部２２２は、調整前の輝度値に所定の電光伝達関数（ＥＯＴＦ：Ｅｌｅｃｔｒｏ−Ｏｐｔｉｃａｌ  Ｔｒａｎｓｆｅｒ  Ｆｕｎｃｔｉｏｎ）を作用して、その輝度値に対応する輝度に所定の係数を乗じて輝度を伸張し、その後、伸張された輝度に所定の光電伝達関数（ＯＥＴＦ：Ｏｐｔｏ−Ｅｌｅｃｔｒｏｎｉｃ  Ｔｒａｎｓｆｅｒ  Ｆｕｎｃｔｉｏｎ）を作用して、その伸張された輝度に対応する輝度値を求めてもよい。
なお、再調整後の輝度値が、表示部２２が表示可能とする最大輝度に係る最大輝度値よりも大きい場合には、サービス情報処理部２４２は、その再調整後の輝度値を最大輝度値以下となるように、その輝度値をさらに再調整してもよい。
【０１１２】
マスターモニター情報は、図２１に示すように、放送信号に多重化して伝送されてもよい。例えば、第１の実施形態で説明した輝度情報と同様に、送信装置１０のサービス情報取得部１４０は、ＭＨ−ＥＩＴ又はＭＰＴにマスターモニター情報を含める。マスターモニター情報は、上述した輝度記述子に記述されてもよいし、別個の記述子に記述されてもよい。サービス情報処理部２４２は、ＭＨ−ＥＩＴ又はＭＰＴに含まれるマスターモニター情報を検出する。
マスターモニターＭＭの最大輝度は、輝度記述子において上述の輝度の最大値又は輝度値の最大値と同様な形式で記述されてもよい。また、輝度記述子において、マスターモニターＭＭの画面サイズが、その対角線の長さ（単位：インチ）、水平方向の幅（単位：ｃｍ）、垂直方向の高さ（単位：ｃｍ）、面積（単位：ｃｍ２）などで記述されてもよい。
【０１１３】
マスターモニター情報は、第２の実施形態で説明した輝度情報と同様に、通信で伝送されてもよい。そこで、サーバ装置３０の所定のＵＲＬで指定される取得先にマスターモニター情報を含むアプリケーションを格納させておいてもよい。
サービス情報処理部２４２のアプリケーション制御部２４４は、例えば、アプリケーション制御情報に基づいて取得したアプリケーションに含まれるマスターモニター情報を検出し、検出したマスターモニター情報を輝度調整部２２２に出力する。
また、放送番組に関するアプリケーションに記述された取得コマンドで指示された機器に、制作表示能力情報を格納させておいてもよい。サービス情報処理部２４２のアプリケーション実行部２４５は、その取得コマンドで指示された機器にマスターモニター情報要求信号を通信で送信し、その機器からの応答としてマスターモニター情報を取得してもよい。アプリケーション実行部２４５は、取得したマスターモニター情報を輝度調整部２２２に出力する。
【０１１４】
以上に説明したように、サービス情報処理部２４２は、サービス情報として映像の制作に用いられたマスターモニターＭＭによる映像の表示能力の情報であるマスターモニター情報を取得する。輝度調整部２２２は、表示部２２による映像の表示能力よりもマスターモニターＭＭの表示能力の方が高いとき、表示部２２に表示させる映像の輝度をさらに高くする。
一般に、表示部２２による映像の表示能力よりもマスターモニターＭＭの映像の表示能力の方が高いとき、表示される映像の輝度が両者間で物理的に同一であっても、マスターモニターＭＭの映像の方が観視者に与える心理的な印象が強くなる。そのため、表示部２２に表示させる映像の輝度を高くすることで、表示部２２の映像が観視者に与える印象の強さを、マスターモニターＭＭの映像が観視者に与える印象の強さに近づけることができる。従って、本実施形態によれば、映像制作に用いられるマスターモニターＭＭと表示部２２の表示能力による印象の強さの差が吸収される。
【０１１５】
また、輝度調整部２２２は、表示部２２の表示能力とマスターモニターＭＭの表示能力の差が大きいほど、表示部２２に表示させる映像の輝度の増加量を大きくする。
この構成によれば、表示部２２の表示能力とマスターモニターＭＭの表示能力の差が大きいほど大きくなりがちな、映像が観視者に与える印象の強さの差が抑制される。従って、映像制作に用いられるマスターモニターＭＭや受信装置２０の表示部２２により異なりうる映像の表示能力による印象の差がさらに吸収される。
【０１１６】
以上、この発明の実施形態について図面を参照して詳述してきたが、具体的な構成は上述の実施形態に限られるものではなく、この発明の要旨を逸脱しない範囲の設計等も含まれる。上述の実施形態において説明した各構成は、任意に組み合わせることができる。
【０１１７】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式などを用いてもよい。
また、上述した実施形態では、輝度調整部２２２が、主に表示部が映像を表示可能とする輝度範囲である第２輝度範囲と、コンテンツの映像の輝度範囲である第１輝度範囲との比較結果として、第１輝度範囲の第２輝度範囲からの超過量に基づいてコンテンツの映像の輝度を調整する場合を例にしたが、これには限られない。コンテンツによっては、第２輝度範囲は、第１輝度範囲よりも狭くなることもありうる。そこで、輝度調整部２２２は、比較結果として、第２輝度範囲の第１輝度範囲からの超過量に基づいて、コンテンツの映像の輝度を第２輝度範囲内に調整してもよい。つまり、調整後のコンテンツの映像の最大輝度、最小輝度は、それぞれ第２輝度範囲の最大輝度以下、最小輝度以上となればよい。
【０１１８】
なお、上述した発明は、次の態様でも実施することができる。
（１）コンテンツのサービス情報に基づいて前記コンテンツの映像の輝度範囲である第１輝度範囲に関する輝度情報を取得するサービス情報処理部と、表示部が映像を表示可能な輝度範囲である第２輝度範囲と前記第１輝度範囲との比較結果に基づいて前記映像の輝度を前記第２輝度範囲内に調整する輝度調整部と、を備える受信装置。
【０１１９】
（２）前記輝度調整部は、前記第２輝度範囲の最大値と前記第１輝度範囲の最大値との比較結果に基づいて前記映像の輝度の調整方法を定める（１）の受信装置。
【０１２０】
（３）前記輝度調整部は、前記比較結果が所定の閾値を超えるとき前記調整方法として圧縮処理を選択し、前記比較結果が所定の閾値を超えないとき前記調整方法としてクリッピング処理を選択する（２）の受信装置。
【０１２１】
（４）前記輝度調整部は、前記輝度情報に前記コンテンツの映像の輝度範囲がより狭い所定の輝度範囲から拡大したことを示す変換情報が含まれるとき、前記映像の輝度範囲を伸長する（１）から（３）のいずれかの受信装置。
【０１２２】
（５）前記輝度調整部は、前記映像の輝度が低い部分ほど輝度を低下させる（４）の受信装置。
【０１２３】
（６）前記サービス情報は、前記映像の制作に用いられた表示部である制作表示装置の映像の表示能力の情報を含み、前記輝度調整部は、前記表示部の映像の表示能力よりも前記制作表示装置の映像の表示能力の方が高いとき、前記映像の輝度をさらに高くする（１）から（５）のいずれかの受信装置。
【０１２４】
（７）前記輝度調整部は、前記表示部の映像の表示能力と前記制作表示装置の映像の表示能力の差が大きいほど、前記映像の輝度の増加量を大きくする（６）の受信装置。
【０１２５】
（８）前記サービス情報はアプリケーション制御情報を含み、前記サービス情報処理部は、前記アプリケーション制御情報に基づいて所定のアプリケーションプログラムが指示する処理の実行を制御するアプリケーション制御部を備え、前記アプリケーションプログラムは、前記受信装置または前記受信装置に接続された他の機器のコンピュータに前記輝度情報を通信で取得し、前記輝度情報を前記輝度調整部に出力させる（１）から（７）のいずれかの受信装置。
【０１２６】
（９）前記アプリケーションプログラムは、前記受信装置または前記受信装置と接続する他の機器のコンピュータに前記第１輝度範囲の情報と前記第２輝度範囲の情報を表示させ、
ユーザの操作に応じて指示された前記第２輝度範囲の情報を前記輝度調整部に出力させる（８）の受信装置。
【０１２７】
（１０）送信装置と受信装置を備える放送システムであって、前記送信装置は、映像を含むコンテンツと前記コンテンツのサービス情報を送信し、前記受信装置は、前記サービス情報に基づいて前記コンテンツの映像の輝度範囲である第１輝度範囲に関する輝度情報を取得するサービス情報処理部と、表示部が映像を表示可能な輝度範囲である第２輝度範囲と前記第１輝度範囲との比較結果に基づいて前記映像の輝度を前記第２輝度範囲内に調整する輝度調整部と、を備える放送システム。
【０１２８】
（１１）前記輝度情報を通信で送信する第２の送信装置を備え、前記サービス情報はアプリケーション制御情報を含み、前記サービス情報処理部は、前記アプリケーション制御情報に基づいて所定のアプリケーションプログラムが指示する処理の実行を制御するアプリケーション制御部を備え、前記アプリケーションプログラムは、前記受信装置または前記受信装置に接続された他の機器のコンピュータに前記輝度情報を通信で取得し、前記輝度情報を前記輝度調整部に出力させる（１０）の放送システム。
【０１２９】
また、上述の送信装置１０、受信装置２０、サーバ装置３０および情報機器４０の機能を実現するためのプログラムをコンピュータ読み取り可能な記録媒体に記録して、この記録媒体に記録されたプログラムをコンピュータシステムに読み込ませ、実行することにより送信装置１０、受信装置２０、サーバ装置３０および情報機器４０を実現してもよい。当該プログラムは、第２の実施形態において説明したアプリケーションプログラムとは別個のプログラムであるが、その一部の機能が当該アプリケーションプログラムに基づいて実現されてもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【０１３０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【０１３１】
なお、プログラムを複数に分割し、それぞれ異なるタイミングでダウンロードした後に端末装置で一体化する構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（例えば、ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１３２】
１…放送システム、１０…送信装置、１１０…符号化制御部、１２０…映像符号化部、１３０…音声符号化部、１４０…サービス情報取得部、１５０…多重化部、１６０…暗号化部、１７０…送信部、２０…受信装置、２２…表示部、２３…拡声部、２１０…放送受信部、２１１…復号部、２１２…分離部、２１５…入力部、２２１…映像復号部、２２２…輝度調整部、２２３…表示処理部、２３１…音声復号部、２４０…制御部、２４１…選局部、２４２…サービス情報処理部、２４３…表示情報取得部、２４４…アプリケーション制御部、２４５…アプリケーション実行部、２５０…記憶部、２６０…通信部、３０…サーバ装置、４０…情報機器、ＢＴ…放送伝送路、ＢＳ…放送衛星、ＣＴ…通信伝送路、ＲＣ…制御装置
【図１】
2017163536.tif 000003
【図２】
2017163536.tif 000004
【図３】
2017163536.tif 000005
【図４】
2017163536.tif 000006
【図５】
2017163536.tif 000007
【図６】
2017163536.tif 000008
【図７】
2017163536.tif 000009
【図８】
2017163536.tif 000010
【図９】
2017163536.tif 000011
【図１０】
2017163536.tif 000012
【図１１】
2017163536.tif 000013
【図１２】
2017163536.tif 000014
【図１３】
2017163536.tif 000015
【図１４】
2017163536.tif 000016
【図１５】
2017163536.tif 000017
【図１６】
2017163536.tif 000018
【図１７】
2017163536.tif 000019
【図１８】
2017163536.tif 000020
【図１９】
2017163536.tif 000021
【図２０】
2017163536.tif 000022
【図２１】
2017163536.tif 000023